(57)【特許請求の範囲】
【請求項１】
ミラードスイッチと配信デバイスと複数の記録デバイスとを具備するシステムにおいて、マルチメディアデータを記録するための方法であって、前記方法は、
前記配信デバイスが、収束されたミラードデータを受信するステップであって、前記収束されたミラードデータは、信号およびマルチメディアデータを具備し、前記信号は、前記マルチメディアデータを伝送するためのチャネルを確立するための信号である、ステップと、
前記配信デバイスが、前記信号に従って、マルチメディアデータ識別情報を取得するステップであって、前記マルチメディアデータ識別情報は、記録される必要があるマルチメディアデータを識別するために使用される、ステップと、
前記配信デバイスが、記録命令を生成するステップであって、前記記録命令は、前記マルチメディアデータ識別情報を含む、ステップと、
前記配信デバイスが、前記マルチメディアデータを送信することなく、前記記録命令を、複数の記録デバイスのうちの１つの記録デバイスに送信するステップであって、それにより、前記記録デバイスが、前記ミラードスイッチから送信され前記記録デバイスによって受信される収束されたミラードデータ内の前記マルチメディアデータ識別情報に対応するマルチメディアデータを識別し、前記マルチメディアデータを記録する、ステップと
を具備することを特徴とする方法。
【請求項２】
前記信号に従って前記マルチメディアデータ識別情報を取得する前記ステップは、
前記信号の呼識別子ヘッダフィールドから呼識別子を取得し、前記呼識別子を前記マルチメディアデータ識別情報として使用するステップ、または
前記信号に含まれているセッション記述プロトコル（SDP）情報の接続情報フィールドからIPアドレスを取得し、前記IPアドレスを前記マルチメディアデータ識別情報として使用するステップ、または前記SDP情報のメディア名/トランスポートアドレスフィールドからポート番号を取得し、前記ポート番号を前記マルチメディアデータ識別情報として使用するステップ、または前記SDP情報の接続情報フィールドからIPアドレスを取得し、前記SDP情報のメディア名/トランスポートアドレスフィールドからのポート番号を取得し、前記IPアドレスおよび前記ポート番号を前記マルチメディアデータ識別情報として使用するステップ
を含む、請求項1に記載の方法。
【請求項３】
前記マルチメディアデータ識別情報を含んでいる前記記録命令を生成する前記ステップは、前記取得したマルチメディアデータ識別情報を記録し、前記マルチメディアデータ識別情報に対応している前記マルチメディアデータの記録を命令するための記録命令情報を取得した後、前記記録命令を生成するステップを含む、請求項1または2に記載の方法。
【請求項４】
前記配信デバイスが前記記録命令を生成する前記ステップは、
前記信号を前記記録命令として直接使用するステップ、または、
前記信号内の前記マルチメディアデータ識別情報以外の情報の一部またはすべてを削除した後に前記信号を前記記録命令として使用するステップ
である、請求項1に記載の方法。
【請求項５】
前記記録命令を生成する前記ステップの前に、あらかじめ設定された第1の記録ポリシーを前記信号が満たすと決定するステップであって、前記第1の記録ポリシーは、記録される必要がある前記マルチメディアデータに対応している前記信号を決定するのに使用される、ステップをさらに含む、請求項1から4のいずれか一項に記載の方法。
【請求項６】
前記あらかじめ設定された第1の記録ポリシーを前記信号が満たすと決定する前記ステップは、
あらかじめ設定された記録番号と一致する発信番号もしくは着信番号を前記信号が含んでいると決定するステップ、または
あらかじめ設定されたIPアドレスと一致するIPアドレスを前記信号が含んでいると決定するステップ
を含む、請求項5に記載の方法。
【請求項７】
前記配信デバイスは、あらかじめ設定された第2の記録ポリシーに従って前記マルチメディアデータを記録するための前記記録デバイスを決定し、前記記録命令を前記決定した記録デバイスに送信する、または
前記配信デバイスは、前記記録命令を前記配信デバイスと通信するすべての記録デバイスに送信し、それにより、すべての前記記録デバイスにおける各記録デバイスは、前記マルチメディアデータ識別情報に対応している前記マルチメディアデータが、前記記録デバイスが記録するように命令されているマルチメディアデータであるかどうかを判定し、判定結果が肯定であるとき、前記マルチメディアデータを記録する、請求項1から6のいずれか一項に記載の方法。
【請求項８】
前記記録命令は、記録される必要がある前記マルチメディアデータのデータタイプをさらに含んでおり、それにより、前記記録デバイスは、前記データタイプに対応している前記マルチメディアデータを記録する、請求項1から7のいずれか一項に記載の方法。
【請求項９】
請求項1から8のいずれか一項に記載の方法をコンピュータに実行させるプログラムが記録されたコンピュータ可読記憶媒体。
【請求項１０】
ミラードスイッチと配信デバイスと複数の記録デバイスとを具備するシステムにおいて、マルチメディアデータを記録するための配信デバイスであって、前記配信デバイスは、
収束されたミラードデータを受信するように構成された第１のデータ受信ユニットであって、前記収束されたミラードデータは、信号およびマルチメディアデータを具備し、前記信号は、前記マルチメディアデータを伝送するためのチャネルを確立するための信号である、第１のデータ受信ユニットと、
前記信号に従って、マルチメディアデータ識別情報を取得し、かつ、記録命令を生成する命令生成ユニットであって、前記記録命令は、前記マルチメディアデータ識別情報を含み、前記マルチメディアデータ識別情報は、記録される必要があるマルチメディアデータを識別するために使用される、命令生成ユニットと、
前記マルチメディアデータを送信することなく、前記記録命令を、複数の記録デバイスのうちの１つの記録デバイスに送信する命令送信ユニットであって、それにより、前記記録デバイスが、前記ミラードスイッチから送信され前記記録デバイスによって受信される収束されたミラードデータ内の前記マルチメディアデータ識別情報に対応するマルチメディアデータを識別し、前記マルチメディアデータを記録する、命令送信ユニットと
を具備することを特徴とする配信デバイス。
【請求項１１】
前記命令生成ユニットは、前記信号の呼識別子ヘッダフィールドから呼識別子を取得し、前記呼識別子を前記マルチメディアデータ識別情報として使用し、前記呼識別子を含んでいる前記記録命令を生成するように構成されている、または
前記信号は、セッション記述プロトコルSDP情報を含んでおり、前記命令生成ユニットは、前記SDP情報の接続情報フィールドからIPアドレスを取得し、前記IPアドレスを前記マルチメディアデータ識別情報として使用し、前記IPアドレスを含んでいる前記記録命令を生成するように構成されている、または、前記SDP情報のメディア名/トランスポートアドレスフィールドからポート番号を取得し、前記ポート番号を前記マルチメディアデータ識別情報として使用し、前記ポート番号を含んでいる前記記録命令を生成するように構成されている、または、前記SDP情報の接続情報フィールドからIPアドレスを取得し、前記SDP情報のメディア名/トランスポートアドレスフィールドからポート番号を取得し、前記IPアドレスおよびポート番号を前記マルチメディアデータ識別情報として使用し、前記IPアドレスおよび前記ポート番号を含んでいる前記記録命令を生成するように構成されている、請求項10に記載の配信デバイス。
【請求項１２】
前記命令生成ユニットは、前記信号に従って前記マルチメディアデータ識別情報を取得し、前記取得したマルチメディアデータ識別情報を記録し、前記マルチメディアデータの記録を命令するための記録命令情報を取得した後、前記記録命令を生成するように構成されている、請求項10または11に記載の配信デバイス。
【請求項１３】
前記命令生成ユニットは、前記信号内の前記マルチメディアデータ識別情報以外の情報の一部またはすべてを削除した後に前記信号を前記記録命令として使用するか、または、前記信号を前記記録命令として直接使用する、請求項10に記載の配信デバイス。
【請求項１４】
前記命令生成ユニットは、あらかじめ設定された第1の記録ポリシーを前記信号が満たすと決定するようにさらに構成され、
前記あらかじめ設定された第1の記録ポリシーを前記信号が満たすと前記決定するステップは、
あらかじめ設定された記録番号と一致する発信番号もしくは着信番号を前記信号が含んでいると決定すること、または
あらかじめ設定されたIPアドレスと一致するIPアドレスを前記信号が含んでいると決定すること
を含む、請求項10から13のいずれか一項に記載の配信デバイス。
【請求項１５】
あらかじめ設定された第2の記録ポリシーに従って前記マルチメディアデータを記録するための前記記録デバイスを決定するように構成された記録デバイス決定ユニットをさらに備え、前記命令送信ユニットは、前記記録命令を前記決定した記録デバイスに送信するように構成されている、または
前記命令送信ユニットは、前記記録命令を前記配信デバイスと通信するすべての記録デバイスに送信するように構成され、それにより、すべての前記記録デバイスにおける各記録デバイスは、前記マルチメディアデータ識別情報に対応している前記マルチメディアデータが、前記記録デバイスが記録するように命令されているマルチメディアデータであるかどうかを判定し、判定結果が肯定であるとき、前記マルチメディアデータを記録する、請求項10から14のいずれか一項に記載の配信デバイス。
【請求項１６】
マルチメディアデータを記録するためのシステムであって、前記システムは、ミラードスイッチと配信デバイスと複数の記録デバイスとを具備し、
前記ミラードスイッチは、２つの通信パーティ間で転送されるデータパケットをミラーし、収束されたミラードデータを、前記配信デバイスと複数の記録デバイスとに送信するように構成され、前記収束されたミラードデータは、信号およびマルチメディアデータを具備し、前記信号は、前記マルチメディアデータを伝送するためのチャネルを確立するための信号であり、
前記配信デバイスは、
前記収束されたミラードデータを受信し、
前記信号に従って、マルチメディアデータ識別情報を取得し、ここで、前記マルチメディアデータ識別情報は、記録される必要があるマルチメディアデータを識別するために使用され、
記録命令を生成し、ここで、前記記録命令は、前記マルチメディアデータ識別情報を含み、
前記マルチメディアデータを送信することなく、前記記録命令を、複数の記録デバイスのうちの１つの記録デバイスに送信する
ように構成され、
前記記録デバイスが、前記記録デバイスによって受信される収束されたミラードデータ内の前記マルチメディアデータ識別情報に対応するマルチメディアデータを識別し、前記マルチメディアデータを記録するように構成される
ことを特徴とするシステム。
【請求項１７】
前記信号が、前記記録命令として直接使用されるか、または、
前記信号が、前記信号内の前記マルチメディアデータ識別情報以外の情報の一部またはすべてを削除した後に前記記録命令として使用される
請求項16に記載のシステム。
【発明の詳細な説明】
【技術分野】
【０００１】
本発明は、通信技術の分野に関し、詳細には、マルチメディアデータを記録するための方法、デバイス、およびシステムに関する。
【背景技術】
【０００２】
マルチメディアデータ通信(たとえば、音声/ビデオ通信)では、通信端末間で転送されたマルチメディアデータ(たとえば、音声データおよびビデオデータ)を記録することは一般的な機能である。統一通信(UC)サービスおよびIPコンタクトセンター(IPCC)サービスの発展により、クライアントでは、すでに、記録機能は、新たに構築されるネットワーキングオフィスの欠かせない特徴であると見なされており、それと同時に、記録機能を追加するために既存のネットワークにおける多大なオフィスの再構成が必要とされている。
【０００３】
現在、メインストリーム記録方法は、マルチメディアデータ配信機構に基づいており、つまり、まず、配信デバイスが、受信したデータパケットからすべてのマルチメディアデータを獲得し、すべてのそのマルチメディアデータを中央集中方式で各記録デバイスに配信する。各記録デバイスは、一定数のパスのマルチメディアデータを取得し、取得したマルチメディアデータをファイルとして記録する。たとえば、3,000の同時呼を仮定すると、3,000呼のデータは、(音声およびビデオのデータを含んだ)3,000のマルチメディアデータ片、および3,000のマルチメディアデータ片を伝送するのに使用されるチャネルを確立し管理するための信号を含み、配信デバイスは、3,000呼のデータパケットを受信した後、まず、データパケットから3,000呼のマルチメディアデータ(たとえば、音声およびビデオのデータ)を取得し、3,000のマルチメディアデータ片を、記録するための12個の記録デバイスに配信する。たとえば、3,000のマルチメディアデータ片は、記録するための12個の記録デバイスに均等な配信方式で均等に配信され、各記録デバイスは、250のマルチメディアデータ片を取得し、受信した250のマルチメディアデータ片をファイルとして記録する。
【０００４】
配信デバイスは、すべての受信したマルチメディアデータを処理し配信する必要がある。配信デバイスによって同時に処理され配信されるマルチメディアデータのデータ量が比較的多い場合、消費されるリソースの量は多く、受信したマルチメディアデータを適時に処理し配信することができなくなり、結果的に性能ボトルネックが生じ、したがって、マルチメディアデータの記録効率が比較的低くなる。
【発明の概要】
【発明が解決しようとする課題】
【０００５】
本発明の諸実施形態は、マルチメディアデータの記録効率が低いという問題を解決するために、マルチメディアデータを記録するための方法を提供する。
【課題を解決するための手段】
【０００６】
第1の態様では、マルチメディアデータを記録するための方法が提供され、方法は、
配信デバイスがマルチメディアデータ識別情報を含んでいる記録命令を生成するステップであって、マルチメディアデータ識別情報は、記録される必要があるマルチメディアデータを識別するのに使用される、ステップと、
配信デバイスが記録命令を記録デバイスに送信するステップであって、それにより、記録デバイスは、マルチメディアデータ識別情報に対応しているマルチメディアデータを識別し、マルチメディアデータを記録する、ステップと
を含む。
【０００７】
第1の可能な実装方式では、配信デバイスが記録命令を生成するステップの前に、方法は、配信デバイスが信号を受信するステップをさらに含み、信号は、マルチメディアデータを伝送するためのチャネルを確立するための信号であり、配信デバイスが記録命令を生成するステップは、具体的には、配信デバイスが信号に従ってマルチメディアデータ識別情報を取得し、マルチメディアデータ識別情報を含んでいる記録命令を生成するステップである。
【０００８】
第1の態様の第1の可能な実装方式と組み合わせて、第2の可能な実装方式では、
信号に従ってマルチメディアデータ識別情報を取得するステップは、具体的には、
信号の呼識別子ヘッダフィールドから呼識別子を取得し、呼識別子をマルチメディアデータ識別情報として使用するステップを含み、または
信号は、セッション記述プロトコル（SDP）情報を含んでおり、信号に従ってマルチメディアデータ識別情報を取得するステップは、具体的には、SDP情報の接続情報フィールドからIPアドレスを取得し、IPアドレスをマルチメディアデータ識別情報として使用するステップ、またはSDP情報のメディア名/トランスポートアドレスフィールドからポート番号を取得し、ポート番号をマルチメディアデータ識別情報として使用するステップ、またはSDP情報の接続情報フィールドからIPアドレスを取得し、SDP情報のメディア名/トランスポートアドレスフィールドからポート番号を取得し、IPアドレスおよびポート番号をマルチメディアデータ識別情報として使用するステップ
を含む。
【０００９】
第1の態様の第1の可能な実装方式または第2の可能な実装方式と組み合わせて、第3の可能な実装方式では、マルチメディアデータ識別情報を含んでいる記録命令を生成するステップは、具体的には、取得したマルチメディアデータ識別情報を記録し、マルチメディアデータ識別情報に対応しているマルチメディアデータの記録を命令するための記録命令情報を取得し、記録命令を生成するステップを含む。
【００１０】
第4の可能な実装方式では、配信デバイスが記録命令を生成するステップの前に、方法は、配信デバイスが信号を受信するステップをさらに含み、信号は、マルチメディアデータを伝送するためのチャネルを確立するための信号であり、マルチメディアデータ識別情報を含み、配信デバイスが記録命令を生成するステップは、具体的には、配信デバイスが信号を記録命令として使用するステップである。
【００１１】
第1の態様の第1から第4の可能な実装方式のうちのいずれか1つと組み合わせて、第5の可能な実装方式は、記録命令を生成するステップの前に、あらかじめ設定された第1の記録ポリシーを信号が満たすと決定するステップであって、第1の記録ポリシーは、記録される必要があるマルチメディアデータに対応している信号を決定するのに使用される、ステップをさらに含む。
【００１２】
第1の態様の第5の可能な実装方式と組み合わせて、第6の可能な実装方式では、あらかじめ設定された第1の記録ポリシーを信号が満たすと決定するステップは、具体的には、あらかじめ設定された記録番号と一致する発信番号(calling number)もしくは着信番号(called number)を信号が含んでいると決定するステップ、またはあらかじめ設定されたIPアドレスと一致するIPアドレスを信号が含んでいると決定するステップを含む。
【００１３】
第7の可能な実装方式では、配信デバイスが記録命令を生成するステップの前に、方法は、配信デバイスが制御デバイスからマルチメディアデータ識別情報を受信するステップをさらに含む。
【００１４】
第1の態様の第7の可能な実装方式と組み合わせて、第8の可能な実装方式は、マルチメディアデータ識別情報を含んでいる記録命令を生成するステップの前に、配信デバイスが制御デバイスからのマルチメディアデータ識別情報に対応している発信番号または着信番号を受信し、発信番号または着信番号が、あらかじめ設定された記録番号と一致すると決定するステップをさらに含む。
【００１５】
第1の態様の第1から第8の実装方式のうちのいずれか1つと組み合わせて、第9の可能な実装方式では、
配信デバイスは、あらかじめ設定された第2の記録ポリシーに従ってマルチメディアデータを記録するための記録デバイスを決定し、記録命令を、決定した記録デバイスに送信する、または
配信デバイスは、記録命令を配信デバイスと通信するすべての記録デバイスに送信し、それにより、すべての記録デバイスにおける各記録デバイスは、マルチメディアデータ識別情報に対応しているマルチメディアデータが、記録デバイスが記録するように命令されているマルチメディアデータであるかどうかを判定し、判定結果が肯定であるとき、マルチメディアデータを記録する。
【００１６】
第1の態様、または第1の態様の第1、もしくは第4、もしくは第7、もしくは第8の可能な実装方式と組み合わせて、第10の可能な実装方式では、マルチメディアデータ識別情報は、
マルチメディアデータに対応している呼識別子、
マルチメディアデータに対応しているIPアドレス、
マルチメディアデータに対応しているポート番号、または
マルチメディアデータに対応しているIPアドレスおよびポート番号
を含んでいる。
【００１７】
第11の可能な実装方式では、配信デバイスは、あらかじめ設定された第3の記録ポリシーに従って記録命令を生成し、第3の記録ポリシーは、記録デバイスが、記録する必要があるマルチメディアデータに対応しているマルチメディアデータ識別情報を決定するのに使用される。
【００１８】
第1の態様の第11の可能な実装方式と組み合わせて、第12の可能な実装方式では、配信デバイスが第3の記録ポリシーに従って記録命令を生成するステップは、具体的には、配信デバイスが記録デバイスに対応しているあらかじめ設定されたユーザ属性情報（identity information）を取得し、ユーザ属性情報に対応しているあらかじめ設定されたマルチメディアデータ識別情報を取得し、マルチメディアデータ識別情報を含んでいる記録命令を生成するステップ、または配信デバイスが記録デバイスに対応しているあらかじめ設定されたマルチメディアデータ識別情報を取得し、マルチメディアデータ識別情報を含んでいる記録命令を生成するステップを含む。
【００１９】
第1の態様の第11または第12の可能な実装方式と組み合わせて、第13の可能な実装方式では、マルチメディアデータ識別情報は、
マルチメディアデータに対応しているIPアドレス、
マルチメディアデータに対応しているポート番号、または
マルチメディアデータに対応しているIPアドレスおよびポート番号
を含んでいる。
【００２０】
第1の態様、または第1の態様の第1から第13の可能な実装方式のうちのいずれか1つと組み合わせて、第14の可能な実装方式では、記録命令は、記録される必要があるマルチメディアデータのデータタイプをさらに含んでおり、それにより、記録デバイスは、データタイプに対応しているマルチメディアデータを記録する。
【００２１】
第2の態様では、マルチメディアデータを記録するための方法が提供され、方法は、
記録デバイスが、配信デバイスから、マルチメディアデータ識別情報を含んでいる記録命令を受信するステップであって、マルチメディアデータ識別情報は、記録される必要があるマルチメディアデータを識別するのに使用される、ステップと、
記録デバイスが、マルチメディアデータ識別情報に従って、記録される必要があるマルチメディアデータを識別するステップと、
記録デバイスが、マルチメディアデータを記録するステップと
を含む。
【００２２】
第1の可能な実装方式では、マルチメディアデータ識別情報は、
マルチメディアデータに対応している呼識別子、
マルチメディアデータに対応しているIPアドレス、
マルチメディアデータに対応しているポート番号、または
マルチメディアデータに対応しているIPアドレスおよびポート番号
を含んでいる。
【００２３】
第2の態様の第1の可能な実装方式と組み合わせて、第2の可能な実装方法では、
マルチメディアデータ識別情報は呼識別子を含んでおり、記録デバイスは、受信したデータパケットが呼識別子を含んでいるかどうかを判定し、肯定ならば、データパケットに含まれているデータが、記録される必要があるマルチメディアデータであると決定し、または
マルチメディアデータ識別情報は呼識別子を含んでおり、記録デバイスは、呼識別子を含んでいる信号を取得し、取得した信号からIPアドレスを取得し、受信したデータパケット内の送信先IPアドレスもしくは送信元IPアドレスが、取得したIPアドレスであるかどうかを判定し、判定結果が肯定である場合、データパケットに含まれているデータが、記録される必要があるマルチメディアデータであると決定し、または
マルチメディアデータ識別情報は呼識別子を含んでおり、記録デバイスは、呼識別子を含んでいる信号を取得し、取得した信号からポート番号を取得し、受信したデータパケット内の送信先ポート番号もしくは送信元ポート番号が、取得したポート番号であるかどうかを判定し、判定結果が肯定である場合、データパケットに含まれているデータが、記録される必要があるマルチメディアデータであると決定し、または
マルチメディアデータ識別情報は呼識別子を含んでおり、記録デバイスは、呼識別子を含んでいる信号を取得し、取得した信号からIPアドレスおよびポート番号を取得し、受信したデータパケット内の送信先IPアドレスおよび送信先ポート番号が、取得したIPアドレスおよびポート番号であるかどうかを判定し、判定結果が肯定である場合、データパケットに含まれているデータが、記録される必要があるマルチメディアデータであると決定し、または
マルチメディアデータ識別情報は呼識別子を含んでおり、記録デバイスは、呼識別子を含んでいる信号を取得し、取得した信号からIPアドレスおよびポート番号を取得し、受信したデータパケット内の送信元IPアドレスおよび送信元ポート番号が、取得したIPアドレスおよびポート番号であるかどうかを判定し、判定結果が肯定である場合、データパケットに含まれているデータが、記録される必要があるマルチメディアデータであると決定し、または
マルチメディアデータ識別情報はIPアドレスを含んでおり、記録デバイスは、受信したデータパケット内の送信先IPアドレスもしくは送信元IPアドレスが記録命令に含まれているIPアドレスであるかどうかを判定し、判定結果が肯定である場合、データパケットに含まれているデータが、記録される必要があるマルチメディアであると決定し、または
マルチメディアデータ識別情報はポート番号を含んでおり、記録デバイスは、受信したデータパケット内の送信先ポート番号もしくは送信元ポート番号が記録命令に含まれているポート番号であるかどうかを判定し、判定結果が肯定である場合、データパケットに含まれているデータが、記録される必要があるマルチメディアデータであると決定し、または
マルチメディアデータ識別情報はIPアドレスおよびポート番号を含んでおり、記録デバイスは、受信したデータパケット内の送信先IPアドレスおよび送信先ポート番号が記録命令に含まれているIPアドレスおよびポート番号であるかどうかを判定し、判定結果が肯定である場合、データパケットに含まれているデータが、記録される必要があるマルチメディアデータであると決定し、または
マルチメディアデータ識別情報は、具体的には、IPアドレスおよびポート番号を含んでおり、記録デバイスは、受信したデータパケット内の送信元IPアドレスおよび送信元ポート番号が記録命令に含まれているIPアドレスおよびポート番号であるかどうかを判定し、判定結果が肯定である場合、データパケットに含まれているデータが、記録される必要があるマルチメディアデータであると決定する。
【００２４】
第2の態様、または第2の態様の第1の可能な実装方式、または第2の態様の第2の可能な実装方式と組み合わせて、第3の可能な実装方式では、記録デバイスが、マルチメディアデータ識別情報に従って、記録される必要があるマルチメディアデータを識別するステップの前に、方法は、記録デバイスが、受信したマルチメディアデータをスクリーニングして、マルチメディアデータ識別情報セットに対応しているマルチメディアデータを獲得するステップであって、マルチメディアデータ識別情報セットは、あらかじめ構成されている、または配信デバイスから取得される、または先に受信した記録命令に含まれているマルチメディアデータ識別情報に従って生成される、ステップと、具体的には、記録デバイスが、マルチメディアデータ識別情報に従って、記録される必要があるマルチメディアデータを、スクリーニングを通じて獲得されるマルチメディアデータから識別するステップとをさらに含む。
【００２５】
第2の態様における第3の可能な実装方式と組み合わせて、第4の可能な実装方式では、マルチメディアデータ識別情報セットは、具体的には、IPアドレス範囲、またはポート番号範囲を含んでいる。
【００２６】
第3の態様では、マルチメディアデータを記録するための配信デバイスが提供され、配信デバイスは、
マルチメディアデータ識別情報を含んでいる記録命令を生成するように構成された命令生成ユニットであって、マルチメディアデータ識別情報は、記録される必要があるマルチメディアデータを識別するのに使用される、命令生成ユニットと、
記録命令を記録デバイスに送信するように構成された命令送信ユニットであって、それにより、記録デバイスは、マルチメディアデータ識別情報に対応しているマルチメディアデータを識別し、マルチメディアデータを記録する、命令送信ユニットと
を含む。
【００２７】
第1の可能な実装方式では、配信デバイスは、信号を受信するように構成された第1のデータ受信ユニットをさらに含み、信号は、マルチメディアデータを伝送するためのチャネルを確立するための信号であり、命令生成ユニットは、具体的には、信号に従ってマルチメディアデータ識別情報を取得し、マルチメディアデータ識別情報を含んでいる記録命令を生成するように構成されている。
【００２８】
第3の態様の第1の可能な実装方式と組み合わせて、第2の可能な実装方式では、
命令生成ユニットは、具体的には、信号の呼識別子ヘッダフィールドから呼識別子を取得し、呼識別子をマルチメディアデータ識別情報として使用し、呼識別子を含んでいる記録命令を生成するように構成されている、または
信号は、セッション記述プロトコルSDP情報を含んでおり、命令生成ユニットは、具体的には、SDP情報の接続情報フィールドからIPアドレスを取得し、IPアドレスをマルチメディアデータ識別情報として使用し、IPアドレスを含んでいる記録命令を生成するように構成されている、またはSDP情報のメディア名/トランスポートアドレスフィールドからポート番号を取得し、ポート番号をマルチメディアデータ識別情報として使用し、ポート番号を含んでいる記録命令を生成するように構成されている、またはSDP情報の接続情報フィールドからIPアドレスを取得し、SDP情報のメディア名/トランスポートアドレスフィールドからポート番号を取得し、IPアドレスおよびポート番号をマルチメディアデータ識別情報として使用し、IPアドレスおよびポート番号を含んでいる記録命令を生成するように構成されている。
【００２９】
第3の態様の第1または第2の可能な実装方式と組み合わせて、第3の可能な実装方式では、命令生成ユニットは、具体的には、信号に従ってマルチメディアデータ識別情報を取得し、取得したマルチメディアデータ識別情報を記録し、マルチメディアデータの記録を命令するための記録命令情報を取得した後、記録命令を生成するように構成されている。
【００３０】
第4の可能な実装方式では、配信デバイスは、信号を受信するように構成された第2のデータ受信ユニットをさらに含み、信号は、マルチメディアデータを伝送するためのチャネルを確立するための信号であり、マルチメディアデータ識別情報を含んでおり、命令生成ユニットは、具体的には、信号を記録命令として使用するように構成されている。
【００３１】
第3の態様の第1から第4の可能な実装方式のうちのいずれか1つと組み合わせて、第5の可能な実装方式では、命令生成ユニットは、あらかじめ設定された第1の記録ポリシーを信号が満たすと決定するようにさらに構成され、あらかじめ設定された第1の記録ポリシーを信号が満たすと決定することは、具体的には、あらかじめ設定された記録番号と一致する発信番号もしくは着信番号を信号が含んでいると決定すること、またはあらかじめ設定されたIPアドレスと一致するIPアドレスを信号が含んでいると決定することを含む。
【００３２】
第6の可能な実装方式では、この配信デバイスは、制御デバイスからマルチメディアデータ識別情報を受信するように構成されたマルチメディアデータ識別情報受信ユニットをさらに含む。
【００３３】
第3の態様の第6の可能な実装方式と組み合わせて、第7の可能な実装方式では、マルチメディアデータ識別情報受信ユニットは、制御デバイスから、マルチメディアデータ識別情報に対応している発信番号または着信番号を受信するようにさらに構成され、命令生成ユニットは、発信番号または着信番号が、あらかじめ設定された記録番号と一致すると決定するようにさらに構成されている。
【００３４】
第3の態様、または第3の態様の第1から第7の可能な実装方式のうちのいずれか1つと組み合わせて、第8の可能な実装方式では、
配信デバイスは、あらかじめ設定された第2の記録ポリシーに従ってマルチメディアデータを記録するための記録デバイスを決定するように構成された記録デバイス決定ユニットをさらに含み、命令送信ユニットは、具体的には、記録命令を、決定した記録デバイスに送信するように構成されている、または
命令送信ユニットは、具体的には、記録命令を、配信デバイスと通信するすべての記録デバイスに送信するように構成され、それにより、すべての記録デバイスにおける各記録デバイスは、マルチメディアデータ識別情報に対応しているマルチメディアデータが、記録デバイスが記録するように命令されているマルチメディアデータであるかどうかを判定し、判定結果が肯定であるとき、マルチメディアデータを記録する。
【００３５】
第9の可能な実装方式では、命令生成ユニットは、具体的には、あらかじめ設定された第3の記録ポリシーに従って記録命令を生成するように構成され、第3の記録ポリシーは、記録デバイスが記録する必要があるマルチメディアデータに対応しているマルチメディアデータ識別情報を決定するのに使用される。
【００３６】
第3の態様の第9の可能な実装方式と組み合わせて、第10の可能な実装方式では、
命令生成ユニットは、具体的には、記録デバイスに対応しているあらかじめ設定されたユーザ属性情報を取得し、ユーザ属性情報に対応しているあらかじめ設定されたマルチメディアデータ識別情報を取得し、マルチメディアデータ識別情報を含んでいる記録命令を生成するように構成されている、または
命令生成ユニットは、具体的には、記録デバイスに対応しているあらかじめ設定されたマルチメディアデータ識別情報を取得し、マルチメディアデータ識別情報を含んでいる記録命令を生成するように構成されている。
【００３７】
第4の態様では、マルチメディアデータを記録するための記録デバイスが提供され、記録デバイスは、
配信デバイスから、マルチメディアデータ識別情報を含んでいる記録命令を受信するように構成された命令受信ユニットであって、マルチメディアデータ識別情報は、記録される必要があるマルチメディアデータを識別するのに使用される、命令受信ユニットと、
マルチメディアデータ識別情報に従って、記録される必要があるマルチメディアデータを識別するように構成されたマルチメディアデータ識別ユニットと、
マルチメディアデータを記録するように構成された記録ユニットと
を含む。
【００３８】
第1の可能な実装方式では、
マルチメディアデータ識別情報は呼識別子を含んでおり、マルチメディアデータ識別ユニットは、具体的には、受信したデータパケットが呼識別子を含んでいるかどうかを判定し、肯定ならば、データパケットに含まれているデータが、記録される必要があるマルチメディアデータであると決定するように構成されている、または
マルチメディアデータ識別情報は呼識別子を含んでおり、マルチメディアデータ識別ユニットは、具体的には、呼識別子に従って呼識別子を含んでいる信号を取得し、取得した信号からIPアドレスを取得し、受信したデータパケット内の送信先IPアドレスもしくは送信元IPアドレスが、取得したIPアドレスであるかどうかを判定し、判定結果が肯定である場合、データパケットに含まれているデータが、記録される必要があるマルチメディアデータであると決定するように構成されている、または
マルチメディアデータ識別情報は呼識別子を含んでおり、マルチメディアデータ識別ユニットは、具体的には、呼識別子に従って呼識別子を含んでいる信号を取得し、取得した信号からポート番号を取得し、受信したデータパケット内の送信先ポート番号もしくは送信元ポート番号が、取得したポート番号であるかどうかを判定し、判定結果が肯定である場合、データパケットに含まれているデータが、記録される必要があるマルチメディアデータであると決定するように構成されている、または
マルチメディアデータ識別情報は呼識別子を含んでおり、マルチメディアデータ識別ユニットは、具体的には、呼識別子に従って呼識別子を含んでいる信号を取得し、取得した信号からIPアドレスおよびポート番号を取得し、受信したデータパケット内の送信先IPアドレスおよび送信先ポート番号が、取得したIPアドレスおよびポート番号であるかどうかを判定し、判定結果が肯定である場合、データパケットに含まれているデータが、記録される必要があるマルチメディアデータであると決定するように構成されている、または
マルチメディアデータ識別情報は呼識別子を含んでおり、マルチメディアデータ識別ユニットは、具体的には、呼識別子に従って呼識別子を含んでいる信号を取得し、取得した信号からIPアドレスおよびポート番号を取得し、受信したデータパケット内の送信元IPアドレスおよび送信元ポート番号が、取得したIPアドレスおよびポート番号であるかどうかを判定し、判定結果が肯定である場合、データパケットに含まれているデータが、記録される必要があるマルチメディアデータであると決定するように構成されている、または
マルチメディアデータ識別情報はIPアドレスを含んでおり、マルチメディアデータ識別ユニットは、具体的には、受信したデータパケット内の送信先IPアドレスもしくは送信元IPアドレスが、記録命令に含まれているIPアドレスであるかどうかを判定し、判定結果が肯定である場合、データパケットに含まれているデータが、記録される必要があるマルチメディアデータであると決定するように構成されている、または
マルチメディアデータ識別情報はポート番号を含んでおり、マルチメディアデータ識別ユニットは、具体的には、受信したデータパケット内の送信先ポート番号もしくは送信元ポート番号が、記録命令に含まれているポート番号であるかどうかを判定し、判定結果が肯定である場合、データパケットに含まれているデータが、記録される必要があるマルチメディアデータであると決定するように構成されている、または
マルチメディアデータ識別情報は、具体的には、IPアドレスおよびポート番号を含んでおり、マルチメディアデータ識別ユニットは、具体的には、受信したデータパケット内の送信先IPアドレスおよび送信先ポート番号が、記録命令に含まれているIPアドレスおよびポート番号であるかどうかを判定し、判定結果が肯定である場合、データパケットに含まれているデータが、記録される必要があるマルチメディアデータであると決定するように構成されている、または
マルチメディアデータ識別情報は、具体的には、IPアドレスおよびポート番号を含んでおり、記録デバイスは、受信したデータパケット内の送信元IPアドレスおよび送信元ポート番号が、記録命令に含まれているIPアドレスおよびポート番号であるかどうかを判定し、判定結果が肯定である場合、データパケットに含まれているデータが、記録される必要があるマルチメディアデータであると決定する。
【００３９】
第4の態様、または第4の態様の第1の可能な実装方式と組み合わせて、第2の可能な実装方式では、
記録デバイスは、マルチメディアデータを受信するように構成されたデータ受信ユニットをさらに含み、
記録デバイスは、受信したマルチメディアデータをスクリーニングして、マルチメディアデータ識別情報セットに対応しているマルチメディアデータを獲得するように構成されたマルチメディアデータスクリーニングユニットをさらに含み、マルチメディアデータ識別情報セットは、あらかじめ構成されている、または配信デバイスから取得される、または先に受信した記録命令に含まれているマルチメディアデータ識別情報に従って生成され、
マルチメディアデータ識別ユニットは、具体的には、記録命令に含まれているマルチメディアデータ識別情報に従って、記録される必要があるマルチメディアデータを、スクリーニングを通じて獲得されたマルチメディアデータから識別するように構成されている。
【００４０】
第5の態様では、マルチメディアデータを記録するためのシステムが提供され、システムは、
配信デバイス、具体的には、第3の態様、または第3の態様の第1から第10の可能な実装方式のうちのいずれか1つの配信デバイスと、
記録デバイス、具体的には、第4の態様、または第4の態様の第1もしくは第2の可能な実装方式の記録デバイスと
を含む。
【００４１】
第1の可能な実装方式では、システムは、ミラードスイッチをさらに含み、記録デバイスは、ミラードスイッチからマルチメディアデータを受信する。
【００４２】
第5の態様、または第5の態様の第1の可能な実装方式と組み合わせて、第2の可能な実装方式では、システムは、制御デバイスをさらに含み、配信デバイスは、制御デバイスから信号またはマルチメディアデータ識別情報を受信する。
【発明の効果】
【００４３】
前述の解決策により、配信デバイスは、すべてのマルチメディアデータを処理し配信する必要はなく、単に、記録される必要があるマルチメディアデータに対応しているマルチメディアデータ識別情報を決定し、このマルチメディアデータ識別情報を記録デバイスに送信するだけでよく、記録デバイスは、マルチメディアデータ識別情報に対応しているマルチメディアデータを識別し、このマルチメディアデータを記録し、したがって、配信デバイスが処理するデータの量は小さくなり、それにより、マルチメディアデータの記録効率が改善される。
【００４４】
本発明の諸実施形態において技術的解決策をより明瞭に示すため、諸実施形態または従来技術を説明するのに必要な添付の図面について、以下に簡潔に説明する。以下の説明における添付の図面は、本発明のいくつかの実施形態を示しているにすぎず、当業者は、創造的な取組みなしに添付のこれらの図面から他の図面を引き出すことができることは明白である。
【図面の簡単な説明】
【００４５】
【図１】本発明の一実施形態によるシステムのアーキテクチャの概略図である。
【図２】本発明の実施形態1による方法の概略流れ図である。
【図３−１】SIP(セッション開始プロトコル)メッセージの構造例を示す図である。
【図３−２】SIPメッセージの構造例を示す図である。
【図４−１】RTP(リアルタイムトランスポートプロトコル)パケットをカプセル化したIPパケットの構造例を示す図である。
【図４−２】RTPパケットをカプセル化したIPパケットの構造例を示す図である。
【図５】本発明の実施形態1による最適な例示的実装方式の概略図である。
【図６】本発明の実施形態2によるデバイスの概略構造図である。
【図７】本発明の実施形態2による別のデバイスの概略構造図である。
【図８】本発明の実施形態2による別のデバイスの概略構造図である。
【図９】本発明の実施形態3によるデバイスの概略構造図である。
【図１０】本発明の実施形態3による別のデバイスの概略構造図である。
【図１１】本発明の実施形態3による別のデバイスの概略構造図である。
【図１２】本発明の実施形態4によるシステムの概略構造図である。
【図１３】本発明の一実施形態によるコンピュータシステムの概略構造図である。
【発明を実施するための形態】
【００４６】
以下に、本発明の諸実施形態における添付の図面を参照して、本発明の諸実施形態による技術的解決策を明瞭かつ完全に説明する。以下の説明における諸実施形態は、本発明の諸実施形態のすべてではなく、ほんの一部にすぎないことは明白である。本発明の諸実施形態に基づいた、創造的な取組みなしに当業者によって取得される他のすべての実施形態は、本発明の保護範囲に入るものとする。
【００４７】
図1に示すように、本発明の一実施形態において提供される記録システムは、配信デバイスと記録デバイスとを含む。配信デバイスは、マルチメディアデータ識別情報を含んでいる記録命令を記録デバイスに送信する。記録デバイスは、マルチメディアデータ識別情報に対応しているマルチメディアデータを識別し、そのマルチメディアデータを記録する。任意選択で、記録デバイスは、マルチメディアデータを受信することができ、受信したマルチメディアデータから、マルチメディアデータ識別情報に対応しているマルチメディアデータを識別する。
【００４８】
配信デバイスは、別々に配置することができ、また他のデバイスと組み合わせること、たとえば、記録デバイスのうちの1つと組み合わせること、またはコンピュータテレフォニーインテグレーション(CTI)デバイス、自動呼配信(ACD)デバイス、構内交換機(PBX)、ユニバーサルアクセスプラットフォーム(UAP)などの制御デバイスのうちの少なくとも1つのデバイスと組み合わせることもできる。
【００４９】
本発明の実施形態1は、マルチメディアデータを記録するための方法を提供し、図2にこの方法の概略流れ図を示す。方法は、以下を含む。
【００５０】
110:配信デバイスが、マルチメディアデータ識別情報を含んでいる記録命令を生成し、ここでは、マルチメディアデータ識別情報は、記録される必要があるマルチメディアデータを識別するのに使用される。
【００５１】
120:配信デバイスは、この記録命令を記録デバイスに送信する。
【００５２】
130:記録デバイスは、マルチメディアデータ識別情報に対応しているマルチメディアデータを識別し、このマルチメディアデータを記録する。
【００５３】
具体的には、記録デバイスは、マルチメディアデータを受信し、受信したマルチメディアデータから、マルチメディアデータ識別情報に対応しているマルチメディアデータを識別する。好ましくは、記録デバイスは、マルチメディアデータをミラードスイッチから受信し、ミラードスイッチは、2つの通信パーティ間で転送されるマルチメディアデータのデータパケットをミラーし、ミラーしたデータパケットを記録デバイスに送信するように構成されている。
【００５４】
記録命令は、マルチメディアデータ識別情報に対応しているマルチメディアデータを記録するよう記録デバイスに命令するのに使用され、記録命令は、記録操作を実行するよう記録デバイスに命令するための操作コマンドを運ぶことができることに留意されたい。記録命令はまた、操作コマンドをまったく運ばない場合もある。操作コマンドが記録命令で運ばれない一実装方式では、記録デバイスは、マルチメディアデータ識別情報を運ぶ受信メッセージが配信デイバスからのものであると決定し、したがって、このメッセージを、デフォルトで記録命令と見なすことができる。
【００５５】
本発明の実施形態によれば、配信デバイスは、すべてのマルチメディアデータを処理し配信する必要はなく、単に、記録される必要があるマルチメディアデータに対応しているマルチメディアデータ識別情報を決定し、このマルチメディアデータ識別情報を記録デバイスに送信するだけでよく、記録デバイスは、マルチメディアデータ識別情報に対応しているマルチメディアデータを識別し、このマルチメディアデータを記録し、したがって、配信デバイスが処理するデータの量が小さくなり、それによって、マルチメディアデータの記録効率が改善される。
【００５６】
加えて、配信デバイスは、少量のリソースを消費し、そのため、他のデバイスと組み合わせて、サーバデバイスを削減し、ネットワーキングを簡略化することが可能になる。
【００５７】
記録命令に含まれているマルチメディアデータ識別情報は、記録される必要があるマルチメディアデータを識別するのに使用される。マルチメディアデータは、具体的には、音声データ、ビデオデータ、画面共有データ、画像データ、およびテキストデータの中で、1つまたは複数のタイプのデータとすることができる。
【００５８】
マルチメディアデータは、2つの通信パーティ間で伝送されるマルチメディアデータであり、以下では、2つの通信パーティを、第1の通信デバイスおよび第2の通信デバイスと呼ぶ。具体的には、ポイントツーポイントのシナリオでは、2つの通信パーティは、2つのポイントツーポイント通信パーティ、たとえば、エージェントデバイスとクライアント端末、UC端末と別のUC端末、およびUC端末と非UC端末などとすることができ、会議のシナリオでは、2つの通信パーティは、会議端末と会議サーバとすることができ、会議端末から会議サーバに送信されるマルチメディアデータは、会議端末の音声信号またはビデオ信号を含んでおり、会議サーバから会議端末に送信されるマルチメディアデータは、会議端末の混合音声信号または他の会議端末の混合ビデオ信号を含んでいる。2つの通信パーティ間で伝送されるマルチメディアデータは、第1の通信デバイスによって第2の通信デバイスに送信されるマルチメディアデータ(これ以降、「マルチメディアデータ1」と呼ぶ)を含んでいることができ、第2の通信デバイスによって第1の通信デバイスに送信されるマルチメディアデータ(これ以降、「マルチメディアデータ2」と呼ぶ)を含んでいることができる。それに対応して、マルチメディアデータ識別情報は、具体的には、マルチメディアデータ1を識別するための情報とマルチメディアデータ2を識別するための情報とを含んでいることができ、マルチメディアデータ1を識別するための情報とマルチメディアデータ2を識別するための情報は、同じであっても、また異なっていてもよい。
【００５９】
マルチメディアデータ識別情報は、具体的には、マルチメディアデータに対応しているIPアドレス、またはポート番号、またはIPアドレスおよびポート番号を含んでいることができる。マルチメディアデータに対応しているIPアドレスは、マルチメディアデータの送信元IPアドレス、または送信先IPアドレス、または送信元IPアドレスおよび送信先IPアドレスを含んでいる。マルチメディアデータに含まれているマルチメディアデータ1とマルチメディアデータ2は両方ともに、対応している送信元IPアドレスおよび送信先IPアドレスを有する。マルチメディアデータ識別情報は、具体的には、マルチメディアデータ1に対応しているIPアドレスとマルチメディアデータ2に対応しているIPアドレス、たとえば、マルチメディアデータ1の送信元IPアドレスとマルチメディアデータ2の送信元IPアドレス、またはさらには、マルチメディアデータ1の送信先IPアドレスとマルチメディアデータ2の送信先IPアドレスを含んでいることができる。マルチメディアデータに対応しているポート番号は、マルチメディアデータの送信元ポート番号、または送信先ポート番号、または送信元ポート番号および送信先ポート番号を含んでいる。マルチメディアデータ1とマルチメディアデータ2は両方ともに、対応している送信元ポート番号および送信先ポート番号を有する。マルチメディアデータ識別情報は、具体的には、マルチメディアデータ1に対応しているポート番号とマルチメディアデータ2に対応しているポート番号、たとえば、マルチメディアデータ1の送信元ポート番号とマルチメディアデータ2の送信元ポート番号、またはさらには、マルチメディアデータ1の送信先ポート番号とマルチメディアデータ2の送信先ポート番号を含んでいることができる。
【００６０】
マルチメディアデータ1の送信元IPアドレスが、マルチメディアデータ2の送信先IPアドレスと同じである場合、マルチメディアデータ識別情報は、1つのIPアドレスを含んでいるだけでよく、このIPアドレスは、マルチメディアデータ1の送信元IPアドレスとして、またマルチメディアデータ2の送信先IPアドレスとしても使用され得ることに留意されたい。マルチメディアデータ1の送信元ポート番号が、マルチメディアデータ2の送信先ポート番号と同じである場合、マルチメディアデータ識別情報は、1つのポート番号を含んでいるだけでよく、このポート番号は、マルチメディアデータ1の送信元ポート番号として、またマルチメディアデータ2の送信先ポート番号としても使用され得る。
【００６１】
好ましくは、記録命令は、さらに、IPアドレスもしくはポート番号が、送信元IPアドレスもしくは送信元ポート番号であるかどうか、または送信先IPアドレスもしくは送信先ポート番号であるかどうかを示すための情報を運ぶことができる。
【００６２】
記録命令は、1つまたは複数のマルチメディアデータ片の識別情報を運ぶことができる。1つのマルチメディアデータ片の識別情報の例は、次の通りである:
【００６３】
例1
multimedia1:des(送信先),IPアドレス1,ポート番号1
multimedia2:des(送信先),IPアドレス2,ポート番号2
【００６４】
例2
multimedia1:des(送信先),IPアドレス1,ポート番号1
multimedia2:sour(送信元),IPアドレス1,ポート番号1
【００６５】
例3
IPアドレス1,ポート番号1
【００６６】
例4
multimedia1:sour(送信元),IPアドレス1,ポート番号1;des(送信先),IPアドレス2,ポート番号2
multimedia2:sour(送信元),IPアドレス3,ポート番号3;des(送信先),IPアドレス4,ポート番号4
【００６７】
例5
multimedia1:IPアドレス1,ポート番号1
multimedia2:IPアドレス2,ポート番号2
【００６８】
次の例では、マルチメディアデータ識別情報は、IPアドレスとポート番号の両方を例として挙げるが、同様に、マルチメディアデータ識別情報はまた、IPアドレスまたはポート番号とすることができる。
【００６９】
マルチメディアデータが、音声とビデオを含んでいる場合、音声のマルチメディアデータ識別情報とビデオのマルチメディアデータ識別情報は、同じである場合も、または異なる場合もあり得、異なる場合、かつ記録デバイスが音声とビデオを同時に記録する必要がある場合、マルチメディアデータ識別情報は、音声の識別情報(たとえば、音声の送信先IPアドレスおよび送信先ポート番号)とビデオの識別情報(たとえば、ビデオの送信先IPアドレスおよび送信先ポート番号)を含んでいることに留意されたい。
【００７０】
マルチメディアデータ識別情報はさらに、具体的には、記録される必要があるマルチメディアデータに対応している呼識別子を含んでいることができる。マルチメディアデータに対応している呼識別子は、マルチメディアデータを伝送するためのチャネルを確立するための信号に含まれている呼識別子とすることができる。マルチメディアデータに含まれているマルチメディアデータ1に対応している呼識別子とマルチメディアデータ2に対応している呼識別子は、同じであってもよい。
【００７１】
任意選択で、記録命令は、記録される必要があるマルチメディアデータのデータタイプ、たとえば、音声データタイプ、ビデオデータタイプ、画面共有データタイプ、画像データタイプ、テキストデータタイプなどのデータタイプのうちの1つまたは複数をさらに含んでいることができ、指定されたマルチメディアデータタイプに対応しているマルチメディアデータを記録するよう記録デバイスに命令するのに使用される。たとえば、ビデオ通話通信の場合、通信中に伝送される音声データのみを記録するよう、かつビデオデータを記録しないよう指定可能である。
【００７２】
本発明の実施形態1の例示的実装方式を次に紹介する。
【００７３】
例示的実装方式A:配信デバイスが、受信した信号に従って記録命令を生成する。
【００７４】
110A:配信デバイスは、信号を受信し、この信号に従って記録命令を生成し、ここでは、信号は、マルチメディアデータを伝送するためのチャネルを確立するための信号である。
【００７５】
信号は、具体的には、ミラードスイッチから受信することができ、また制御デバイス(たとえば、CTI)から受信することもできる。
【００７６】
信号は、マルチメディアデータ識別情報を含んでいる。配信デバイスは、具体的には、信号に従ってマルチメディアデータ識別情報を取得し、マルチメディアデータ識別情報を含んでいる記録命令を生成することができ、さらに、具体的には、信号(たとえば、呼要求信号)を記録命令として使用すること、具体的には、信号を記録命令として直接使用することができ、さらに、信号内のマルチメディアデータ識別情報以外の情報の一部またはすべてを削除し、この信号を記録命令として使用することができる。
【００７７】
配信デバイスが受信したデータが、信号およびマルチメディアデータを含んでいる場合、配信デバイスは、信号に従って記録命令を生成する前に、データから信号を検出することをさらに含むことができる。
【００７８】
信号は、具体的には、SIP信号、H.323信号、およびH.248信号などとすることができる。以下では、信号からマルチメディアデータ識別情報を取得する例示的実装方式を詳細に示すために、SIP信号を例として挙げる。
【００７９】
例示的実装方式1:信号から、マルチメディアデータに対応している呼識別子を取得し、この呼識別子を記録命令におけるマルチメディアデータ識別情報として使用する。
【００８０】
具体的には、呼識別子は、信号の呼識別子ヘッダフィールドから取得され、信号がSIP信号である場合には、呼識別子であるCall-IDが信号のCall-IDヘッダフィールドから取得される。呼識別子は、任意のタイプの信号から取得されることも、または特定のタイプの信号から、たとえば、呼要求信号INVITE、成功応答信号200 OK、および成功応答確認信号ACKなどの信号から取得されることもある。INVITE信号を例として挙げると、図3-1に示すように、呼識別子は、INVITE信号のCall-IDヘッダフィールドから取得され得る。
【００８１】
例示的実装方式2:信号から、マルチメディアデータに対応しているIPアドレスまたはポート番号を取得し、このIPアドレスまたはこのポート番号をマルチメディアデータ識別情報として使用する。
【００８２】
具体的には、これには、マルチメディアデータ2の送信先IPアドレス、または送信先ポート番号、または送信先IPアドレスおよび送信先ポート番号が、第1の通信デバイスから第2の通信デバイスに信号で送信される少なくとも1つの信号片から取得され、マルチメディアデータ1の送信先IPアドレス、または送信先ポート番号、または送信先IPアドレスおよび送信先ポート番号が、第2の通信デバイスから第1の通信デバイスに信号で送信される少なくとも1つの信号片から取得されることが含まれ得る。
【００８３】
好ましくは、信号は、セッション記述プロトコル(SDP)情報を含んでおり、IPアドレスは、SDP情報の接続情報フィールド(すなわち、ライン「c=」)から取得される、またはポート番号は、SDP情報のメディア名/トランスポートアドレスフィールド(すなわち、ライン「m=」)から取得される、またはIPアドレスがSDP情報の接続情報フィールドから取得され、かつポート番号がSDP情報のメディア名/トランスポートアドレスフィールドから取得される。
【００８４】
マルチメディアデータ1の送信元IPアドレスが、マルチメディアデータ2の送信先IPアドレスと同じである、またはマルチメディアデータ1の送信元ポート番号がマルチメディアデータ2の送信先ポート番号と同じである場合、マルチメディアデータ2の送信先IPアドレスまたは送信先ポート番号はまた、第1の通信デバイスから第2の通信デバイスに送信される少なくとも1つの信号片から取得され得る。
【００８５】
実際の通信シナリオでは、第1の通信デバイスと第2の通信デバイスはそれぞれ、発信デバイスと着信デバイスである。具体的には、発信デバイスによって着信デバイスに対して送信される呼要求信号(たとえば、SIPのINVITE信号)は、着信デバイスによって送信されるマルチメディアデータを受信するのに発信デバイスが使用するIPアドレスまたはポート番号を取得するように構文解析され得、着信デバイスによって発信デバイスに対して送信される一時応答信号(たとえば、SIPの183信号、SIPの180信号)または成功応答信号(たとえば、SIPの200 OK信号)もまた、発信デバイスによって送信されるマルチメディアデータを受信するのに着信デバイスが使用するIPアドレスまたはポート番号を取得するように構文解析され得る。
【００８６】
図3-1は、INVITE信号の一例を示している。1086@192.167.1.248(これ以降、「1086」と呼ぶ)は、8000@192.162.1.29(これ以降、「8000」と呼ぶ)をコールし、SIPのINVITE信号を8000に送信する。8000によって送信されるマルチメディアデータを受信するのに1086が使用する関連パラメータ、たとえば、マルチメディアデータの送信先IPアドレス(192.167.1.248)およびマルチメディアデータの送信先ポート番号(10574)は、INVITE信号から取得され得る。
【００８７】
図3-2は、1086に対応しているユーザが電話を取る際、8000に戻されるSIPの200 OK信号であるSIPの200 OKメッセージボディの一例を示している。1086によって送信されるマルチメディアデータを受信するのに8000が使用する関連パラメータ、たとえば、マルチメディアデータの送信先IPアドレス(192.162.1.29)およびマルチメディアデータの送信先ポート番号(11798)が、200 OK信号から取得され得る。
【００８８】
好ましくは、呼識別子は、あるタイプの信号(たとえばINVITE信号)から取得可能であり、呼識別子は、受信したSIP信号をサーチして、呼識別子を含んでいる他のSIP信号を取得するのに使用され、次いで、SDP情報を含んでいる信号は、同じ呼識別子を有する信号から決定され、IPアドレスまたはポート番号は、決定した信号のSDP情報から取得される。
【００８９】
好ましくは、信号に従って記録命令を生成するステップの前に、方法は、あらかじめ設定された第1の記録ポリシーを信号が満たすかどうかを判定するステップと、肯定ならば、信号に従って記録命令を生成するステップとをさらに含み、ここでは、第1の記録ポリシーは、記録される必要があるマルチメディアデータに対応している信号を決定するのに使用される。
【００９０】
あらかじめ設定された第1の記録ポリシーを信号が満たすかどうかを判定するステップは、具体的には、あらかじめ設定された記録番号と一致する発信番号または着信番号を信号が含んでいるかどうかを判定するステップを含み、ここでは、記録番号は、具体的には、記録される必要があるマルチメディアデータに対応している通信デバイスの番号(たとえば、電話番号)である。1つまたは複数のあらかじめ設定された記録番号は存在し得、1つまたは複数の記録番号のセットは記録番号セットと呼ばれ、あるいはあらかじめ設定されたIPアドレスと一致するIPアドレスを信号が含んでいるかどうかを判定するステップは、具体的には、信号のSDP情報のヘッダフィールド値からの、もしくはヘッダフィールド値への、または接続情報フィールドの、IPアドレスが、あらかじめ設定されたIPアドレスと一致するかどうかを判定するステップとすることができ、あらかじめ設定されたIPアドレスは、具体的には、記録される必要があるマルチメディアデータのIPアドレスを含んでいる。同じ呼識別子を含んでいる信号は、同じ発信番号および着信番号を含んでいるので、あらかじめ設定された記録番号と一致する発信番号または着信番号を信号が含んでいるかどうかを判定するステップは、具体的には、取得した呼識別子を信号が含んでいるかどうかを判定するステップとすることができることに留意すべきであり、取得した呼識別子は、あらかじめ設定された記録番号と一致する発信番号または着信番号を含んでいる信号を構文解析することによって取得される呼識別子を意味する。
【００９１】
IPCCシナリオでは、記録番号セットは、好ましくは、IPCCエージェント番号に従って定式化され、具体的には、記録する必要があるエージェントIDのセットおよびエージェントIDとエージェント番号との間の対応に従って生成され得る。記録する必要があるエージェントIDのセットは、記録する必要があるエージェントIDのセットにおけるエージェントIDに対応しているエージェントの通信関連マルチメディアデータのみが記録されることを示している。実際のIPCCアプリケーションシナリオでは、エージェントは、CTI、ACD、PBX、およびUAPなどの制御デバイスに登録することができ、ここでは、CTI、ACD、PBX、およびUAPなどの制御デバイスは、記録する必要があるエージェントIDのセットを設定することができ、以下では、CTIのみを詳細な例示のための例として挙げる。エージェントがCTIにログインするとき、CTIは、エージェントIDとエージェントIDとエージェント番号との間の対応を記録する。それに対応して、記録する必要があるエージェントIDのセット、およびエージェントIDとエージェント番号との間の対応により、最新の記録番号セットを生成する上述の例示的実装方式は、次の通りである。たとえば、CTIは、記録する必要があるエージェントIDのセット、およびエージェントIDとエージェント番号との間の対応のテーブルにより、記録番号セットを生成し、この記録番号セットを配信デバイスに送信する。記録する必要があるエージェントIDのセットに変更が生じた場合(たとえば、記録される必要がある新規エージェントIDの登録、つまり、新規エージェントIDが、記録する必要があるエージェントIDのセットに追加される)、またはエージェントIDとエージェント番号との間の対応のテーブルに変更が生じた場合(たとえば、エージェントがCTIにログインする、もしくはエージェントがCTIからログアウトする)、記録番号セットは、それに対応して更新され、更新された記録番号セットは、配信デバイスに送信される。さらに、たとえば、CTIは、記録する必要があるエージェントIDのセット、およびエージェントIDとエージェント番号との間の対応のテーブルを配信デバイスに送信し、配信デバイスは、記録番号セットを生成し、記録する必要があるエージェントIDのセット、また
はエージェントIDとエージェント番号との間の対応のテーブルに変更が生じた場合、それに対応して、記録する必要があるエージェントIDの最新のセットまたは対応の最新のテーブルが、配信デバイスに送信され、配信デバイスは、記録番号セットを更新する、または記録する必要がある更新されたエージェントIDもしくは対応のみが、やはり、配信デバイスに送信可能であり、配信デバイスは、記録番号セットを更新する。任意選択で、記録番号セットは、配信デバイスにおいてあらかじめ構成されてもよい。
【００９２】
配信デバイスはさらに、記録命令情報に従って記録命令を生成することができ、記録命令は、具体的には、まず、マルチメディアデータ識別情報、およびマルチメディアデータタイプなどの記録パラメータを記録すること、マルチメディアデータの記録を命令する記録命令情報を取得し、次いで、記録パラメータを含んでいる記録命令を生成することを含むことができる。記録命令情報を取得する方法は、信号(具体的には、SIPのINFO信号であってもよい)から、この信号と同じ呼識別子を有する記録命令情報を取得するステップと、記録命令情報が取得された後、記録命令情報に対応している記録される記録パラメータを決定し、記録パラメータ(たとえば、マルチメディアデータ識別情報)を含んでいる記録命令を生成するステップを含むことができる。記録命令情報に対応している記録される記録パラメータを決定する方式は、SIPのINFOに含まれているパラメータに従って記録パラメータを決定するステップを含むことができ、たとえば、記録される記録パラメータに含まれているマルチメディアデータ識別情報は、Call-IDであり、したがって、記録される記録パラメータは、SIPのINFOに含まれているCall-IDに従って一致させることができ、さらに、たとえば、記録される記録パラメータに含まれているマルチメディアデータ識別情報は、Call-IDではないが、それと同時に記録パラメータとCall-IDとの間の対応が記録され、したがって、記録される記録パラメータは、SIPのINFOに含まれているCall-IDおよび記録パラメータとCall-IDとの間の記録される対応に従って一致させることができる。加えて、配信デバイスはさらに、記録命令情報を取得し、次いで、呼に対応しているマルチメディアデータの記録パラメータを取得し、記録パラメータを含んでいる記録命令を生成することができる。
【００９３】
記録命令情報に従って記録命令を生成する方式を採用することによって、通信のマルチメディアデータが、ユーザがそのように命令するときのみ記録されることを具現化することができ、それは、ユーザの記録意思を完全に配慮し、UCシナリオには特に適用できる。
【００９４】
好ましくは、配信デバイスは、記録命令に対応している通信が、首尾よく確立されることを示す信号(たとえば、SIPの200 OK、SIPのACK)を検出し、記録命令を送信し、本実装方式を採用することによって、通信が確立される前に伝送されるマルチメディアデータ(たとえば、マルチメディア・カラー・リング・バック・トーン・データ)が記録されることを回避することができ、それによって、記録されるマルチメディアデータは、2つの通信パーティ間で伝送されるマルチメディアデータになることが保証される。
【００９５】
120A:配信デバイスは、記録命令を記録でデバイスに送信する。
【００９６】
具体的には、まず、マルチメディアデータ識別情報に対応しているマルチメディアデータを記録する必要がある記録デバイスが決定され得、次いで、記録命令がこの決定された記録デバイスに送信される。
【００９７】
記録デバイスを決定する方法は、具体的には、あらかじめ設定された第2の記録ポリシーに従って記録デバイスを決定するステップとすることができる。第2の記録ポリシーは、ロードバランスに基づいて、記録デバイスを決定するポリシーを含んでいることができる。たとえば、3,000の通信パスのマルチメディアデータは、記録するための12個の記録デバイスに均等に配信され、さらに、たとえば、各記録デバイスがハードウェア性能において異なるというシナリオでは、たとえば、一部は、500のパスをサポートすることができる高性能を有する新しいモデルデバイスである一方、一部は、200のパスをサポートすることができる低性能を有する古いモデルサーバであり、対応しているロードバランスは、各デバイスの能力仕様に従って達成され得る。第2の記録ポリシーは、マルチメディアデータ識別情報の特徴に基づいて、記録デバイスを決定するポリシーを含んでいることができ、たとえば、記録される必要があり、かつ1つの同じ記録デバイスに配信されるマルチメディアデータに対応している通信デバイスは、ネットワーク配置における論理場所でよりうまく関連付けられるべきであり、つまり、記録される必要があり、かつ1つの同じ記録デバイスに配信されるマルチメディアデータに対応しているIPアドレスは、よりうまく連続的であるべきであり、または記録される必要があり、かつ1つの同じ記録デバイスに配信されるマルチメディアデータに対応しているポート番号は、よりうまく連続的であるべきである。たとえば、2,400人のユーザが存在すると仮定され、それらのユーザの通信デバイスによって伝送されるマルチメディアデータに対応しているIPアドレスは、x.x.1.10〜x.x.11.250で配信され、したがって、IPアドレス範囲x.x.1.10〜x.x.2.20に対応している通信の250のパスのマルチメディアデータは、記録するための1つの同じ記録デバイスに配信され得る。第2の記録ポリシーは、記録デバイスと記録番号セットの間のセット対応に従って記録デバイスを決定するポリシーをさらに含んでいることができ、たとえば、記録デバイス1は、記録番号セット1に含まれているある番号に対応しているマルチメディアデータを記録する。特定の実装形態では、第2の記録ポリシーは、様々な記録ポリシー(たとえば、上記3
つの記録ポリシー)のうちの1つまたは複数を含んでいることができる。
【００９８】
マルチメディアデータを記録するための記録デバイスを決定しなくてもよく、そうではなく、記録命令が、配信デバイスと通信するすべての記録デバイスに直接送信され、記録命令に含まれているマルチメディアデータ識別情報に対応しているマルチメディアデータは、記録デバイスが記録する必要があるマルチメディアデータであるかどうかを各記録デバイスが決定し、最適には、記録命令が送信される前に、方法は、各記録デバイスに対して、記録デバイスが送信する必要があるマルチメディアデータ識別情報セットを送信するステップをさらに含むことができる。
【００９９】
加えて、配信デバイスは、まず、記録命令を生成し、ユーザの命令を取得し、次いで、記録命令を記録デバイスに送信することができる。ユーザの命令を取得する方法は、ステップ110Aで説明した通りである。ユーザの命令を取得し、次いで、記録命令を記録デバイスに送信する方式を採用することによって、通信のマルチメディアデータが、ユーザがそのように命令するときのみ記録されることを具現化することができ、それは、ユーザの記録意思を完全に配慮することができ、UCシナリオには特に適用できる。
【０１００】
130A:記録デバイスは、記録命令を受信後、記録命令に含まれているマルチメディアデータ識別情報に対応しているマルチメディアデータを識別し、そのマルチメディアデータを記録する。
【０１０１】
任意選択で、記録デバイスは、マルチメディアデータを受信し、受信したマルチメディアデータから、マルチメディアデータ識別情報に対応しているマルチメディアデータを識別することができる。最適には、記録デバイスは、マルチメディアデータをミラードスイッチから受信する。記録デバイスが受信したマルチメディアデータは、受信したデータパケットにカプセル化されることに留意されたい。
【０１０２】
マルチメディアデータ識別情報に対応しているマルチメディアデータを識別するステップは、具体的には、受信したデータパケットが、マルチメディアデータ識別情報を含んでいるかどうかを判定するステップと、肯定ならば、データパケットに含まれているデータがマルチメディアデータ識別情報に対応しているマルチメディアデータであると決定するステップとを含むことができる。
【０１０３】
具体的には、マルチメディアデータ識別情報が、具体的には、IPアドレスを含んでいるときには、記録デバイスは、受信したデータパケット内の送信先IPアドレスまたは送信元IPアドレスが、記録命令に含まれているIPアドレスであるかどうかを判定し、判定結果が肯定である場合、データパケットに含まれているデータが、記録される必要があるマルチメディアデータであると決定する、またはマルチメディアデータ識別情報が、具体的には、ポート番号を含んでいるときには、記録デバイスは、受信したデータパケット内の送信先ポート番号もしくは送信元ポート番号が、記録命令に含まれているポート番号であるかどうかを判定し、判定結果が肯定である場合、データパケットに含まれているデータが、記録される必要があるマルチメディアデータであると決定する、またはマルチメディアデータ識別情報が、IPアドレスおよびポート番号を含んでいるときには、記録デバイスは、受信したデータパケット内の送信先IPアドレスおよび送信先ポート番号が、記録命令に含まれているIPアドレスおよびポート番号であるかどうかを判定し、判定結果が肯定である場合、データパケットに含まれているデータが、記録される必要があるマルチメディアデータであると決定する、またはマルチメディアデータ識別情報は、具体的には、IPアドレスおよびポート番号を含んでおり、記録デバイスは、受信したデータパケット内の送信元IPアドレスおよび送信元ポート番号が、記録命令に含まれているIPアドレスおよびポート番号であるかどうかを判定し、判定結果が肯定である場合、データパケットに含まれているデータが、記録される必要があるマルチメディアデータであると決定する。
【０１０４】
以下では、受信したマルチメディアデータから、マルチメディアデータ識別情報に対応しているマルチメディアデータを識別する例示的実装方式を詳細に示すために、そのデータパケットがRTPパケットをカプセル化したIPパケットの一例を挙げる。
【０１０５】
図4-1および図4-2に示すように、図4-1は、1086によって8000に送信されるRTPパケットをカプセル化したIPパケットを示し、一方、図4-2は、8000によって1086に送信されるRTPパケットをカプセル化したIPパケットを示している。図4-1および図4-2には、IPパケットにおける送信元IPアドレス、送信先IPアドレス、送信元ポート番号、および送信先ポート番号しか示されていないが、このIPパケットの他のフィールドについては省略されていることに留意されたい。
【０１０６】
図4-1および図4-2のIPパケットを次の説明の例として挙げる。次の例では、IPアドレスおよびポート番号の一例をマルチメディアデータ識別情報のために挙げ、次の例におけるIPアドレスおよびポート番号はまた、IPアドレスまたはポート番号に置き換えることも可能である。
【０１０７】
［例1］
【０１０８】
記録命令内のマルチメディアデータ識別情報は、次のように、マルチメディアデータ1の送信先IPアドレスおよび送信先ポート番号と、マルチメディアデータ2の送信先IPアドレスおよび送信先ポート番号とを含んでいる。
Multimedia1: des(送信先), 192.162.1.29, 11798
Multimedia2: des(送信先), 192.167.1.248, 10574
【０１０９】
マルチメディアデータ識別情報に含まれている送信先IPアドレスおよび送信先ポート番号を、IPパケット内の送信先IPアドレスおよび送信先ポート番号と比較することによって、図4-1に示されるIPパケット内のマルチメディアデータと図4-2に示されるIPパケット内のマルチメディアデータは両方ともに、記録される必要があるマルチメディアデータであると決定することができ、図4-1に示されるIPパケットは、マルチメディアデータ1に対応しているデータパケットであり、一方、図4-2に示されるIPパケットは、マルチメディアデータ2に対応しているデータパケットであると決定することができる。
【０１１０】
例1では、IPアドレスおよびポート番号が、送信元IPアドレスおよび送信元ポート番号であること、または送信先IPアドレスおよび送信先ポート番号(たとえば、例ではdes)であることを示す情報が記録命令で運ばれない場合もあることに留意されたい。記録デバイスは、記録命令で運ばれるIPアドレスおよびポート番号を、IPパケット内の送信元IPアドレスおよび送信元ポート番号と、またはIPパケット内の送信先IPアドレスおよび送信先ポート番号と直接一致させることができ、一致するならば、IPパケット内のマルチメディアデータは、記録される必要があるマルチメディアデータであると決定される。
【０１１１】
［例2］
【０１１２】
記録命令内のマルチメディアデータ識別情報は、次のように、マルチメディアデータ1の送信先IPアドレスおよび送信先ポート番号と、マルチメディアデータ2の送信元IPアドレスおよび送信元ポート番号とを含んでいる。
Multimedia1: des(送信先), 192.162.1.29, 11798
Multimedia2: sour(送信元), 192.162.1.29, 11798
【０１１３】
マルチメディアデータ識別情報に含まれている送信先IPアドレスおよび送信先ポート番号を、IPパケット内の送信先IPアドレスおよび送信先ポート番号と比較することによって、図4-1に示されるIPパケット内のマルチメディアデータは、記録される必要があるマルチメディアデータであると決定することができ、図4-1に示されるIPパケットは、マルチメディアデータ1に対応するデータパケットであると決定することができる。マルチメディアデータ識別情報に含まれている送信元IPアドレスおよび送信元ポート番号を、IPパケット内の送信元IPアドレスおよび送信元ポート番号と比較することによって、図4-2に示されるIPパケット内のマルチメディアデータは、記録される必要がマルチメディアデータであると決定することができ、図4-2に示されるIPパケットは、マルチメディアデータ2に対応するデータパケットであると決定することができる。
【０１１４】
［例3］
【０１１５】
記録命令内のマルチメディアデータ識別情報は、マルチメディアデータのIPアドレスおよびポート番号を含んでおり、このIPアドレスおよびポート番号は、マルチメディアデータ1の送信先IPアドレスおよび送信先ポート番号として、かつマルチメディアデータ2の送信元IPアドレスおよび送信元ポート番号として両方使用される。
192.162.1.29, 11798
【０１１６】
マルチメディアデータ識別情報に含まれているIPアドレスおよびポート番号を送信先IPアドレスおよび送信先ポート番号として使用して、この送信先IPアドレスおよび送信先ポート番号を、IPパケット内の送信先IPアドレスおよび送信先ポート番号と比較することによって、図4-1に示されているIPパケット内のマルチメディアデータは、記録される必要があるマルチメディアデータであると決定することができ、図4-1に示されているIPパケットは、マルチメディアデータ1に対応しているデータパケットであると決定することができる。マルチメディアデータ識別情報に含まれているIPアドレスおよびポート番号を送信元IPアドレスおよび送信元ポート番号として使用して、この送信元IPアドレスおよび送信元ポート番号を、IPパケット内の送信元IPアドレスおよび送信元ポート番号と比較することによって、図4-2に示されているIPパケット内のマルチメディアデータは、記録される必要があるマルチメディアデータであると決定することができ、図4-2に示されているIPパケットは、マルチメディアデータ2に対応しているデータパケットであると決定することができる
【０１１７】
［例4］
【０１１８】
記録命令内のマルチメディアデータ識別情報は、マルチメディアデータ1の送信元IPアドレスおよび送信元ポート番号と、マルチメディアデータ1の送信先IPアドレスおよび送信先ポート番号とを含んでおり、さらに、マルチメディアデータ2の送信元IPアドレスおよび送信元ポート番号と、マルチメディアデータ2の送信先IPアドレスおよび送信先ポート番号とを含んでいる:
Multimedia1: sour(送信元), 192.167.1.248, 10574; des(送信先), 192.162.1.29, 11798
Multimedia2: sour(送信元), 192.162.1.29, 11798; des(送信先), 192.167.1.248, 10574
【０１１９】
マルチメディアデータ識別情報に含まれているMultimedia1の送信元IPアドレスおよび送信元ポート番号、送信先IPアドレスおよび送信先ポート番号を、IPパケット内の送信元IPアドレスおよび送信元ポート番号、送信先IPアドレスおよび送信先ポート番号と比較することによって、図4-1に示されるIPパケット内のマルチメディアデータは、記録される必要があるマルチメディアデータであると決定することができ、図4-1に示されるIPパケットは、マルチメディアデータ1に対応しているデータパケットであると決定することができる。マルチメディアデータ識別情報に含まれているMultimedia2の送信元IPアドレスおよび送信元ポート番号、送信先IPアドレスおよび送信先ポート番号を、IPパケット内の送信元IPアドレスおよび送信元ポート番号、送信先IPアドレスおよび送信先ポート番号と比較することによって、図4-2に示されるIPパケット内のマルチメディアデータは、記録される必要があるマルチメディアデータであると決定することができ、図4-2に示されるIPパケットが、マルチメディアデータ2に対応しているデータパケットであると決定することができる。
【０１２０】
加えて、呼識別子フィールドは、データパケットに対応している呼識別子(たとえば、Call-ID)を運ぶために、データパケットにおいて拡張可能であり、たとえば、Call-IDフィールドは、RTPパケットヘッダフィールドにおいて拡張される。マルチメディアデータ識別情報が、呼識別子(たとえば、Call-ID)である場合、それに対応して、マルチメディアデータ識別情報に対応しているマルチメディアデータを識別するステップはさらに、具体的には、受信したデータパケットが、呼識別子を含んでいるかどうかを判定するステップと、肯定ならば、データパケットに含まれているデータが、記録される必要があるマルチメディアデータであると決定するステップを含むことができる。具体的には、マルチメディアデータ1に対応しているデータパケットとマルチメディアデータ2に対応しているデータパケットは、さらに、データパケット内のマルチメディアデータ1をマルチメディアデータ2と区別するための情報との組合せで決定することができる。
【０１２１】
記録デバイスが受信したデータは、信号およびマルチメディアデータを含み得る。記録命令に含まれているマルチメディアデータ識別情報が呼識別子である場合、任意選択で、記録デバイスは、呼識別子に従って呼識別子を含んでいる信号を取得し(たとえば、一致判定（matching）により、受信信号から、呼識別子を含んでいる信号を見つけ)、取得した信号からIPアドレスを取得し、受信したデータパケット内の送信先IPアドレスもしくは送信元IPアドレスが、取得したIPアドレスであるかどうかを判定し、判定結果が肯定である場合、データパケットに含まれているデータが、記録される必要があるマルチメディアデータであると決定することができる、または取得した信号からポート番号を取得し、受信したデータパケット内の送信先ポート番号もしくは送信元ポート番号が、取得したポート番号であるかどうかを判定し、判定結果が肯定である場合、データパケットに含まれているデータが、記録される必要があるマルチメディアデータであると決定することができる、または取得した信号からIPアドレスおよびポート番号を取得し、受信したデータパケット内の送信先IPアドレスおよび送信先ポート番号が、取得したIPアドレスおよびポート番号であるかどうかを判定し、判定結果が肯定である場合、データパケットに含まれているデータが、記録される必要があるマルチメディアデータであると決定することができる、または取得した信号からIPアドレスおよびポート番号を取得し、受信したデータパケット内の送信元IPアドレスおよび送信元ポート番号が、取得したIPアドレスおよびポート番号であるかどうかを判定し、判定結果が肯定である場合、データパケットに含まれているデータが、記録される必要があるマルチメディアデータであると決定することができる。一致した信号からIPアドレスまたはポート番号を取得するための方法は、ステップ110Aで説明した方法と同じであることに留意されたい。
【０１２２】
記録されるデータがマルチメディアデータ1とマルチメディアデータ2を含んでおり、マルチメディアデータ1とマルチメディアデータ2の両方が音声を含んでいる場合、好ましくは、記録デバイスは、マルチメディアデータ1に含まれている音声と、マルチメディアデータ2に含まれている音声とをミキシングし、ミキシングした音声を記録し記憶する。
【０１２３】
好ましくは、記録命令が、記録する必要があるマルチメディアデータのタイプ、たとえば、音声またはビデオをさらに含んでいる場合、記録デバイスは、データパケットで運ばれるマルチメディアデータのタイプに従って、記録される必要があるマルチメディアデータを決定することができる。
【０１２４】
好ましくは、記録デバイスはまた、受信したデータパケットをスクリーニングして、記録される可能性があるデータパケットを獲得し、次いで、スクリーニングを通じて獲得されるデータパケットから、記録命令に含まれているマルチメディアデータ識別情報セットに対応しているデータパケットを識別することができ、ここでは、マルチメディアデータ識別情報セットは、あらかじめ構成されている、または配信デバイスから取得される、または先に受信した記録命令に含まれているマルチメディアデータ識別情報に従って生成される。好ましくは、記録デバイスが、信号およびマルチメディアデータを含んでいるデータを受信した場合、具体的には、記録デバイスは、受信データからデータパケットを検出し、検出したデータパケットをスクリーニングしてマルチメディアデータ識別情報セットに対応しているデータパケットを獲得し、スクリーニングを通じて獲得されるデータパケットから、記録命令に含まれているマルチメディアデータ識別情報に対応しているデータパケットを識別することができる。
【０１２５】
スクリーニング操作は、具体的には、ローカルに記憶されたマルチメディアデータ識別情報セットに従って行うことができ、マルチメディアデータ識別情報セットは、IPアドレスセット(たとえば、IPアドレス範囲)、またはポート番号(たとえば、ポート番号範囲)、またはIPアドレスセットおよびポート番号セットとすることができる。IPアドレス範囲またはポート番号範囲は、具体的には、完全に連続的な範囲であっても、また部分的に連続的な範囲であってもよく、IPアドレス範囲を一例として挙げると、完全に連続的なIPアドレス範囲の例は、x.x.1.10〜x.x. 2. 20であり、部分的に連続的なIPアドレス範囲の例は、x.x.1.10〜x.x.1.120かつx.x.1.120〜x.x.2.20である。マルチメディアデータ識別情報セットは、配信デバイスから受信することができ、また配信デバイスによって送信される記録命令に含まれているマルチメディアデータ識別情報に従って生成することができ、たとえば、記録デバイスが記録する必要があり、受信した記録命令に含まれているマルチメディアデータ識別情報は、マルチメディアデータ識別情報セットを形成するために記録される。マルチメディアデータ識別情報セットに含まれているマルチメディアデータ識別情報は、完全に離散的ではない、そうではなく、完全に連続的である、または部分的に連続的である、つまり、これらのマルチメディアデータ識別情報片が論理的に関連し合っているので、マルチメディアデータ識別情報セットは、記録される必要の可能性があるメディアを獲得するために、迅速に比較を行い、スクリーニングを行うように、連続的範囲の論理表現(ポート番号10000〜10030、またはIPアドレスx.x.10.10〜x.x.11.70など)によって示すことができる。スクリーニング操作はさらに、具体的には、データパケットタイプ(たとえば、音声データのみが記録される)など、他のスクリーニング条件に従ってスクリーニングを行うこととすることができる。
【０１２６】
記録デバイスが、信号およびマルチメディアデータに含まれているデータを受信する、つまり、受信したデータパケットが、信号をカプセル化するデータパケットおよびマルチメディアデータをカプセル化するデータパケットを含んでいる場合、記録デバイスが、受信したマルチメディアデータから、記録命令に含まれているマルチメディアデータ識別情報に対応しているマルチメディアデータを識別する前に、方法は、データからマルチメディアデータを検出する、つまり、受信したデータパケットから、マルチメディアデータをカプセル化するデータパケットを検出するステップをさらに含むことができることに留意されたい。
【０１２７】
好ましくは、記録デバイスはさらに、受信したデータパケットをキャッシュし、キャッシュしたデータパケットをスクリーニングして、記録される可能性があるデータパケットを獲得することができる。具体的には、例示的実装方式は、次の通りである。まず、受信したデータパケットをキャッシュし(たとえば、リアルタイムに、ファーストイン、ファーストアウトの方式でキャッシュし)、次いで、リアルタイムの比較スクリーニング操作を実行する。データパケットがマルチメディアデータ識別情報セットの論理表現に準拠しないならば、リアルタイムにデータパケットを破棄する。データパケットが論理表現に準拠する場合、スクリーニングを行ってデータパケットを獲得する。
【０１２８】
記録デバイスが信号およびマルチメディアデータを含んでいるデータを受信する、つまり、受信したデータパケットが信号をカプセル化するデータパケットおよびマルチメディアデータをカプセル化するデータパケットを含んでいる場合、具体的には、受信したデータパケットがリアルタイムにキャッシュされ、マルチメディアデータをカプセル化するデータパケットが、キャッシュしたデータパケットから検出され、マルチメディアデータ識別情報セットに対応しているデータパケットでは、スクリーニングを通じてマルチメディアデータをカプセル化する検出したデータパケットから獲得されることに留意されたい。
【０１２９】
マルチメディアデータは、リアルタイムにキャッシュされ、記録される必要の可能性があるマルチメディアデータを含んでいるデータパケットはスクリーニングを通じて、論理表現に従ってリアルタイムの比較によって獲得されて、続いて、スクリーニングして記録することにより獲得されるデータパケットから、記録される必要があるマルチメディアデータを含んでいるデータパケットを識別し、それにより、大きいリアルタイムネットワークトラフィックに対処することが可能になり、それによって、記録デバイスの効率がさらに改善される。
【０１３０】
任意選択で、配信デバイスが、まず、マルチメディアデータを記録する記録デバイスを決定せず、そうではなく、マルチメディアデータの記録を命令するよう記録命令を、配信デバイスと通信するすべての記録デバイスに直接送信する場合、各記録デバイスは、記録命令に含まれているマルチメディアデータ識別情報に対応しているマルチメディアデータが、記録デバイスが記録する必要があるマルチメディアデータであるかどうかを決定する必要があり、具体的には、マルチメディアデータ識別情報セットに従って決定を行う、つまり、記録命令に含まれているマルチメディアデータ識別情報が、マルチメディアデータ識別情報セットである場合、マルチメディアデータ識別情報に対応しているマルチメディアデータは、記録デバイスが記録する必要があるマルチメディアデータであると決定される。
【０１３１】
好ましくは、配信デバイスと記録デバイスは、同じデータを受信し、このデータは、信号およびマルチメディアデータを含んでおり、具体的には、ミラードスイッチから受信したミラードデータとすることができる。
【０１３２】
図5は、例示的実装方式Aの最適な例示的実装方式を示している。
【０１３３】
ミラードスイッチは、収束されたミラードデータ(図5に示すような3,000のミラードデータ片)を配信デバイスおよび各記録デバイスに別々に送信し、ミラードデータは、信号およびマルチメディアデータを含んでいる。
【０１３４】
ミラードデータを受信した後、配信デバイスは、ミラードデータに含まれている信号に従ってマルチメディアデータ識別情報を含んでいる記録命令を生成し、マルチメディアデータを記録するようマルチメディアデータ識別情報に対応しているマルチメディアデータを記録する必要がある記録デバイスに命令する。
【０１３５】
ミラードデータを受信した後、記録デバイスは、受信した記録命令に含まれているマルチメディアデータ識別情報に従って、受信したミラードデータに含まれているマルチメディアデータから、記録される必要があるマルチメディアデータを識別し、マルチメディアデータを記録し、記録ファイルが、記録デバイスに記憶されても、また記録デバイスと通信する記憶デバイスに記憶されてもよい。
【０１３６】
最適な例示的実装方式を採用することによって、マルチメディアデータを自動的に記録することが大容量のオフィスシナリオで実施可能であり、処理の能力の上限はほとんど存在せず、通信関連のデータが1つのポートに収束され、記録システムの配信デバイスにミラーリングされる限り、記録システムは、マルチメディアデータの記録を独立かつ効果的に完了することができる。
【０１３７】
実際の配置では、超大容量オフィスの通信関連データは、多ポートを通じて別々に収束およびミラーリング可能であり、各ポートからミラーリングされた通信マルチメディアデータは、別々に記録される。
【０１３８】
本発明の実施形態1の例示的実装方式Aによれば、配信デバイスは、マルチメディアデータを処理し配信する必要はなく、単に、配信デバイスは、受信した信号を処理し、信号に従って、記録される必要があるマルチメディアデータに対応しているマルチメディアデータ識別情報を決定し、このマルチメディアデータ識別情報を記録デバイスに送信するだけでよく、記録デバイスは、マルチメディアデータ識別情報に対応しているマルチメディアデータを識別し、このマルチメディアデータを記録し、したがって、配信デバイスが処理するデータの量が小さくなり、リソースの消費が少なくなり、性能ボトルネックが生じなくなり、これにより、マルチメディアデータの記録効率が改善される。
【０１３９】
例示的実装方式B:配信デバイスが、取得したマルチメディアデータ識別情報に従って記録命令を生成する。
【０１４０】
110B:配信デバイスは、制御デバイスからマルチメディアデータ識別情報を受信し、マルチメディアデータ識別情報を含んでいる記録命令を生成する。
【０１４１】
具体的には、制御デバイスは、受信した信号から、マルチメディアデータ識別情報を取得し、取得したマルチメディアデータ識別情報を配信デバイスに送信し、配信デバイスは、マルチメディアデータ識別情報を含んでいる記録命令を生成し、制御デバイスは、さらに、信号からマルチメディアデータ識別情報に対応している発信番号または着信番号を取得し、その発信番号または着信番号を配信デバイスに送信することができ、配信デバイスは、発信番号または着信番号が、あらかじめ設定された記録番号と一致するかどうかを判定し、肯定ならば、マルチメディアデータ識別情報を含んでいる記録命令を生成する。
【０１４２】
120B:ステップ120Aと同様。ここでは説明しない。
【０１４３】
130B:ステップ130Aと同様。ここでは説明しない。
【０１４４】
例示的実装方式Bでは、制御デバイスは、信号を構文解析して、マルチメディアデータ識別情報を取得し、このマルチメディアデータ識別情報を、記録命令を生成する配信デバイスに送信し、配信デバイスは、信号を受信する必要も、かつ構文解析する必要もなく、それによって、さらに配信デバイスの処理負荷が低減し、さらにマルチメディアデータの記録効率が改善される。
【０１４５】
例示的実装方式Bは、主に、配信デバイスと制御デバイスとを組み合わせた場合に焦点を置いていることに留意されたい。
【０１４６】
実際のアプリケーションでは、記録命令は、2つの通信パーティの番号、エージェントのID、クライアントの属性情報、エージェントとクライアントとの間の通信中のデータタイプ相互作用情報、記録値情報、評価情報を含むが、これらに限定されない、マルチメディアデータ識別情報に対応している通信関連記述情報をさらに含んでいることができ、したがって、記録デバイスはマルチメディアデータを記録する一方、記述情報は、その後の使用に関して記録される。例示的実装方式Aでは、記述情報は、具体的には、配信デバイスによって、信号が構文解析されることを通じて取得され得、例示的実装方式Bでは、記述情報は、具体的には、制御デバイスによって、受信した信号が構文解析されることを通じて取得され、配信デバイスに送信され得る。
【０１４７】
例示的実装方式C:配信デバイスが、あらかじめ設定された第3の記録ポリシーに従って記録命令を生成する。
【０１４８】
110C:配信デバイスは、あらかじめ設定された第3の記録ポリシーに従って記録命令を生成し、ここでは、第3の記録ポリシーは、各記録デバイスが記録する必要があるマルチメディアデータのマルチメディアデータ識別情報を決定するのに使用される。
【０１４９】
具体的には、各記録デバイスに対応しているユーザ属性情報は、あらかじめ設定され、ユーザ属性情報とマルチメディアデータ識別情報との間の対応(たとえば、IPアドレス、またはポート番号、またはIPアドレスおよびポート番号)は、あらかじめ設定され、ここでは、ユーザ属性情報は、具体的には、電話番号(たとえば、UCユーザの電話番号、エージェントの電話番号)、およびエージェントのIDなどとすることができる。配信デバイスは、各記録デバイスに対応しているあらかじめ設定されたユーザ属性情報をそれぞれ取得し、さらに、ユーザ属性情報に対応しているマルチメディアデータ識別情報を取得し、マルチメディアデータ識別情報を含んでいる記録命令を生成する。
【０１５０】
具体的には、各記録デバイスに対応しているマルチメディアデータ識別情報は、あらかじめ設定され、配信デバイスは、各記録デバイスに対応しているあらかじめ設定されたマルチメディアデータ識別情報をそれぞれ取得し、マルチメディアデータ識別情報を含んでいる記録命令を生成する。
【０１５１】
マルチメディアデータ識別情報を含んでいる記録命令を生成するステップは、具体的には、各記録デバイスについてそれぞれ記録命令を生成し、記録デバイスについて生成された記録命令に、取得した各記録デバイスに対応しているマルチメディアデータ識別情報をそれぞれ入れるステップとすることができ、さらに、具体的には、配信デバイスと通信するすべての記録デバイスについて同じ記録命令を生成し、この記録命令に、取得した各記録デバイスに対応しているマルチメディアデータ識別情報を入れるステップとすることができ、記録デバイスと、記録デバイスに対応しているマルチメディアデータ識別情報との間の対応は、この記録命令で運ばれる。
【０１５２】
120C:配信デバイスは、記録命令を記録デバイスに送信する。
【０１５３】
具体的には、ステップ110Cで1つの記録命令が各記録デバイスについてそれぞれ生成される場合、各記録デバイスについて生成された記録命令は、デバイスにそれぞれ送信され、ステップ110Cで同じ記録命令が、配信デバイスと通信するすべての記録デバイスについて生成される場合、記録命令は、すべての記録デバイスに送信される。
【０１５４】
130C:記録命令を受信した後、記録デバイスは、受信したマルチメディアデータから、記録命令に含まれているマルチメディアデータ識別情報に対応しているマルチメディアデータを識別し、識別したマルチメディアデータを記録する。
【０１５５】
記録命令が、記録デバイスと、記録デバイスに対応しているマルチメディアデータ識別情報との間の対応を含んでいる場合、まず、記録デバイスに対応しているマルチメディアデータ識別情報が対応に従って決定され、次いで、マルチメディアデータ識別情報に対応している、決定したマルチメディアデータは、受信したマルチメディアデータから識別され、識別したマルチメディアデータが記録される。
【０１５６】
識別操作および記録操作の具体的な実装形態に関しては、ステップ130Aを参照することができる。
【０１５７】
例示的実装方式Cでは、配信デバイスは、信号を構文解析する必要はなく、そうではなく、各記録デバイスが現在記録する必要があるマルチメディアデータの識別情報を第2の記録ポリシーに従って別々に各記録デバイスに直接送信する。本実装方式を採用することによって、配信デバイスの処理効率は高く、実装費用は低い。
【０１５８】
本発明の実施形態1では、配信デバイスはさらに、追加の記録情報を記録デバイスに送信することができ、ここでは、追加の記録情報は、記録方式を命令するための情報を含んでいることができる。たとえば、ビデオのマルチメディアデータの記録の場合、ビデオは、解像度などに従って種々のレベルによって記録され得る。たとえば、標準品位よりも低いビデオは、全体的に記録され、高品位ビデオは、部分的に記録される(あらゆる256のマルチメディアデータフレームに64のフレームが記録される)。追加の記録情報は、記録命令で運ぶことができ、また、記録命令以外の命令を通じて送信することもできる。
【０１５９】
本発明の実施形態1により、本発明の実施形態2は、マルチメディアデータ100を記録するための配信デバイスを提供する。
【０１６０】
図6に示すように、マルチメディアデータを記録するための配信デバイス100は、
記録命令を生成するように構成された命令生成ユニット1002であって、記録命令は、マルチメディアデータ識別情報を含んでおり、マルチメディアデータ識別情報は、記録される必要があるマルチメディアデータを識別するのに使用される、命令生成ユニット1002と、
記録命令を記録デバイスに送信するように構成された命令送信ユニット1003であって、それにより、記録デバイスは、マルチメディアデータ識別情報に対応しているマルチメディアデータを識別し、このマルチメディアデータを記録する、命令送信ユニット1003と、
を含むことができる。
【０１６１】
図7に示すように、好ましくは、配信デバイス100は、データ受信ユニット1001Aをさらに含むことができ、データ受信ユニットは、信号を含んでいるデータを受信するように構成され、信号は、マルチメディアデータを伝送するためのチャネルを確立するための信号である。具体的には、データは、(1つまたは複数のネットワークアダプタを含んでもよい)第1のネットワークアダプタを通じて受信することができる。命令生成ユニットは、具体的には、信号に従って記録命令を生成するように構成されている。
【０１６２】
好ましくは、命令生成ユニットは、記録される必要があるマルチメディアデータに対応している信号を決定するのに使用される第1の記録ポリシーを信号が満たすかどうかを判定するようにさらに構成されている。肯定ならば、命令生成ユニットは、信号に従って記録命令を生成する。たとえば、あらかじめ設定された記録番号と一致する発信番号または着信番号を信号が含んでいるかどうかが判定され、肯定ならば、記録命令は、信号に従って生成され、ここでは、記録番号は、具体的には、記録される必要があるマルチメディアデータに対応している通信デバイスの番号(たとえば、電話番号)であり、さらに、命令生成ユニットは、あらかじめ設定されたIPアドレスと一致するIPアドレスを信号が含んでいるかどうかを判定し、ここでは、あらかじめ設定されたIPアドレスは、具体的には、記録される必要があるマルチメディアデータの送信元IPアドレスまたは送信先IPアドレスを含んでおり、命令生成ユニットは、肯定ならば、信号に従って記録命令を生成する。
【０１６３】
好ましくは、信号がセッション記述プロトコルSDP情報を含んでいるときには、命令生成ユニットは、具体的には、SDP情報の接続情報フィールド(すなわち、ライン「c=」)からIPアドレスを取得し、このIPアドレスを含んでいる記録命令を生成する、またはSDP情報のメディア名/トランスポートアドレスフィールド(すなわち、ライン「m=」)からポート番号を取得し、このポート番号を含んでいる記録命令を生成する、またはSDP情報の接続情報フィールドからIPアドレスを取得し、SDP情報のメディア名/トランスポートアドレスフィールドからポート番号を取得し、このIPアドレスおよびポート番号を含んでいる記録命令を生成するように構成され、または具体的には、信号の呼識別子Call-IDヘッダフィールドから呼識別子を取得し、この呼識別子を含んでいる記録命令を生成するように構成されている。
【０１６４】
データが信号およびマルチメディアデータを含んでいる場合、デバイスは、データから信号を検出するように構成された信号検出ユニットをさらに含むことができる。
【０１６５】
好ましくは、配信デバイスが、マルチメディアデータを記録する機能をさらに有する場合、配信デバイスは、記録ユニット1004をさらに含むことができ、命令送信ユニットは、マルチメディアデータ識別情報に対応しているマルチメディアを記録するよう記録ユニットに命令するために、記録命令を記録ユニットに送信するようにさらに構成され、記録ユニットは、マルチメディアデータ識別情報に対応しているマルチメディアデータを記録する。具体的には、記録命令を受信した後、記録ユニットは、受信したマルチメディアデータから、記録命令に含まれているマルチメディアデータ識別情報に対応しているマルチメディアデータを識別し、マルチメディアデータ識別情報に対応しているマルチメディアデータを記録する。好ましくは、記録ユニットは、(1つまたは複数のネットワークアダプタを含んでもよい)第2のネットワークアダプタを通じてマルチメディアデータを受信する、または第2のネットワークアダプタを通じて信号およびマルチメディアデータを含むデータを受信し、このデータからマルチメディアデータを検出する。
【０１６６】
第1のネットワークアダプタと第2のネットワークアダプタは、同じネットワークアダプタであってもよく、好ましくは、異なるネットワークアダプタであってもよい。配信デバイスと既存の記録デバイスとを組み合わせたシナリオでは、第1のネットワークアダプタおよび第2のネットワークアダプタが異なるネットワークアダプタである場合、信号を受信する機能および検出する機能を実施するためのネットワークリンク、ならびに記録操作を実施するためのネットワークリンクは、物理ネットワークの観点では別個であり、したがって、この組合せの後、信号を受信し検出するプロセスと記録デバイスによって記録する元のプロセスとは、ネットワークリンクにおいて互いに独立しており、それにより、マルチメディアデータを記録する高い性能が保証される。
【０１６７】
好ましくは、命令生成ユニットは、具体的には、あらかじめ設定された第3の記録ポリシーに従って記録命令を生成するように構成され、第3の記録ポリシーは、各記録デバイスが記録する必要があるマルチメディアデータのマルチメディアデータ識別情報を決定するのに使用される。記録生成ユニットは、具体的には、各記録デバイスに対応しているあらかじめ設定されたユーザ属性情報を取得し、さらに、ユーザ属性情報に対応している、あらかじめ設定されたマルチメディアデータ識別情報を取得し、マルチメディアデータ識別情報を含んでいる記録命令を生成するように構成され得、ここでは、ユーザ属性情報は、具体的には、電話番号(たとえば、UCユーザの電話番号、エージェントの電話番号)、およびエージェントのIDなどとすることができ、マルチメディアデータ識別情報は、IPアドレス、またはポート番号、またはIPアドレスおよびポート番号とすることができ、命令生成ユニットは、具体的には、各記録デバイスに対応している、あらかじめ設定されたマルチメディアデータ識別情報をそれぞれ取得し、マルチメディアデータ識別情報を含んでいる記録命令を生成するようにさらに構成され得る。マルチメディアデータ識別情報を含んでいる記録命令を生成することは、具体的には、各記録デバイスについて1つの記録命令をそれぞれ生成し、記録デバイスについて生成された記録命令に、各記録デバイスに対応している取得したマルチメディアデータ識別情報をそれぞれ入れることを含み、さらに、具体的には、配信デバイスと通信するすべての記録デバイスについて同じ記録命令を生成し、記録命令に、各記録デバイスに対応している取得したマルチメディアデータ識別情報を入れ、この記録命令で、記録デバイスと、記録デバイスに対応しているマルチメディアデータ識別情報との間の対応を運ぶこととすることができる。
【０１６８】
図8に示すように、配信デバイスは、マルチメディアデータ識別情報を受信するように構成された、具体的には、制御デバイスから、受信した信号から制御デバイスによって取得したマルチメディアデータ識別情報を受信するように構成されたマルチメディアデータ識別情報受信ユニット1001Bをさらに含むことができ、命令生成ユニットは、具体的には、マルチメディアデータ識別情報を含んでいる記録命令を生成するように構成されている。好ましくは、マルチメディアデータ識別情報受信ユニットは、マルチメディアデータ識別情報に対応している発信番号または着信番号を取得するようにさらに構成され、命令生成ユニットは、発信番号または着信番号が、あらかじめ設定された記録番号と一致するかどうかを判定し、判定結果が肯定のとき、マルチメディアデータ識別情報を含んでいる記録命令を生成するようにさらに構成されている。
【０１６９】
好ましくは、デバイスは、あらかじめ設定された第2の記録ポリシーに従って、マルチメディアデータ識別情報に対応しているマルチメディアデータを記録するための記録デバイスを決定するように構成された記録デバイス決定ユニットをさらに含み、命令送信ユニットは、具体的には、決定した記録デバイスに記録命令を送信するように構成されている、または記録送信ユニットは、具体的には、配信デバイスと通信するすべての記録デバイスに記録命令を送信し、それにより、各記録デバイスは、記録命令に含まれているマルチメディアデータ識別情報に対応しているマルチメディアが、記録デバイスが記録するように命令されているマルチメディアデータであるかどうかを判定し、判定結果が肯定であるとき、マルチメディアデータを記録するように構成されている。
【０１７０】
具体的には、専用ハードウェア回路(たとえば、フィールドプログラマブルゲートアレイ(FPGA)などのハードウェア回路)は、配信デバイスの機能の一部またはすべてを実施するのに使用可能であり、具体的には、ハードウェア回路は、配信デバイスに含まれている1つまたは複数のユニットの機能を実施するために採用され、それにより、さらに、配信デバイスの性能が改善される。
【０１７１】
配信デバイス100の具体的な機能の実装形態に関しては、本発明の実施形態1を参照することができる。
【０１７２】
本発明の実施形態1により、本発明の実施形態3は、マルチメディアデータを記録するための記録デバイス200を提供する。
【０１７３】
図9に示すように、マルチメディアデータを記録するための記録デバイス200は、
配信デバイスから、マルチメディアデータ識別情報を含んでいる記録命令を受信するように構成された命令受信ユニット2001であって、マルチメディアデータ識別情報は、記録される必要があるマルチメディアデータを識別するのに使用される、命令受信ユニット2001と、
マルチメディアデータ識別情報に従って、記録される必要があるマルチメディアデータを識別するように構成されたマルチメディアデータ識別ユニット2005と、
マルチメディアを記録するように構成された記録ユニット2006と
を含む。
【０１７４】
任意選択で、図10に示すように、記録デバイスは、マルチメディアデータを含んでいるデータを受信するように構成されたデータ受信ユニット2002をさらに含むことができ、このデータ受信ユニット2002は、好ましくは、具体的には、ミラードスイッチからデータを受信するように構成されている。マルチメディアデータ識別ユニットは、具体的には、受信したマルチメディアデータから、マルチメディアデータ識別情報に対応しているマルチメディアデータを識別するように構成されている。
【０１７５】
記録命令に含まれているマルチメディアデータ識別情報ユニットの具体的な機能の実装形態は、次の通りである。
【０１７６】
マルチメディアデータ識別情報は、具体的には、呼識別子を含んでいるときには、マルチメディアデータ識別情報ユニットは、具体的には、受信したパケットデータが呼識別子を含んでいるかどうかを判定し、肯定ならば、データパケットに含まれているデータが、記録される必要があるマルチメディアデータであると決定するように構成されている。
【０１７７】
代替として、マルチメディアデータ識別情報は、具体的には、呼識別子を含んでおり、マルチメディアデータ識別ユニットは、具体的には、呼識別子に従って呼識別子を含んでいる信号を取得し(たとえば、一致判定を通じて、受信した信号から呼識別子を含んでいる信号を見つけ)、取得した信号からIPアドレスを取得し、受信したデータパケット内の送信先IPアドレスもしくは送信元IPアドレスが、取得したIPアドレスであるかどうかを判定し、判定結果が肯定である場合、データパケットに含まれているデータが、記録される必要があるマルチメディアデータであると決定する、または取得した信号からポート番号を取得し、受信したデータパケット内の送信先ポート番号もしくは送信元ポート番号が取得したポート番号であるかどうかを判定し、判定結果が肯定である場合、データパケットに含まれているデータが、記録される必要があるマルチメディアデータであると決定する、または取得した信号からIPアドレスおよびポート番号を取得し、受信したデータパケット内の送信先IPアドレスおよび送信先ポート番号が、取得したIPアドレスおよびポート番号であるかどうかを判定し、判定結果が肯定である場合、データパケットに含まれているデータが、記録される必要があるマルチメディアデータであると決定する、または取得した信号からIPアドレスおよびポート番号を取得し、受信したデータパケット内の送信元IPアドレスおよび送信元ポート番号が、取得したIPアドレスおよびポート番号であるかどうかを判定し、判定結果が肯定である場合、データパケットに含まれているデータが、記録される必要があるマルチメディアデータであると決定するように構成されている。
【０１７８】
代替として、マルチメディアデータ識別情報は、具体的には、IPアドレスを含んでおり、マルチメディアデータ識別ユニットは、具体的には、受信したデータパケット内の送信先IPアドレスまたは送信元IPアドレスが、記録命令に含まれているIPアドレスであるかどうかを判定し、判定結果が肯定である場合、データパケットに含まれているデータが、記録される必要があるマルチメディアデータであると決定するように構成されている。
【０１７９】
代替として、マルチメディアデータ識別情報は、具体的には、ポート番号を含んでおり、マルチメディアデータ識別ユニットは、具体的には、受信したデータパケット内の送信先ポート番号または送信元ポート番号が、記録命令に含まれているポート番号であるかどうかを判定し、判定結果が肯定である場合、データパケットに含まれているデータが記録される必要があるマルチメディアデータであると決定するように構成されている。
【０１８０】
代替として、マルチメディアデータ識別情報は、具体的には、IPアドレスおよびポート番号を含んでおり、マルチメディアデータ識別ユニットは、具体的には、受信したデータパケット内の送信先IPアドレスおよび送信先ポート番号が、記録命令に含まれているIPアドレスおよびポート番号であるかどうかを判定し、判定結果が肯定である場合、データパケットに含まれているデータが記録される必要があるマルチメディアデータであると決定するように構成されている、またはマルチメディアデータ識別情報が、具体的には、IPアドレスおよびポート番号を含んでいるときには、記録デバイスは、受信したデータパケット内の送信元IPアドレスおよび送信元ポート番号が、記録命令に含まれているIPアドレスおよびポート番号であるかどうかを判定し、判定結果が肯定である場合、データパケットに含まれているデータが記録される必要があるマルチメディアデータであると決定する。
【０１８１】
好ましくは、データ受信ユニットが受信したデータは、具体的には、信号およびマルチメディアデータを含んでおり、デバイスは、受信したデータからマルチメディアデータを検出するように構成されているマルチメディアデータ検出ユニットをさらに含み、マルチメディア識別ユニットは、具体的には、マルチメディアデータ識別情報に従って、検出したマルチメディアデータから、記録される必要があるマルチメディアデータを識別するように構成されている。
【０１８２】
図11に示すように、好ましくは、記録デバイス200は、マルチメディアデータスクリーニングユニット2004をさらに含み、マルチメディアデータスクリーニングユニットは、受信したマルチメディアデータをスクリーニングして、マルチメディアデータ識別情報セットに対応しているマルチメディアデータを獲得するように構成され、マルチメディアデータ識別情報セットは、具体的には、あらかじめ構成されていても、または配信デバイスから取得されても、または先に受信した記録命令に含まれているマルチメディアデータ識別情報に従って生成されてもよく、マルチメディアデータ識別情報セットは、具体的には、IPアドレス範囲、またはポート番号範囲、またはIPアドレス範囲およびポート番号範囲とすることができ、マルチメディアデータ識別ユニットは、具体的には、記録命令に含まれているマルチメディアデータ識別情報に従って、スクリーニングを通じて獲得されたマルチメディアデータから、記録される必要があるマルチメディアデータを識別する表に構成されている。
【０１８３】
好ましくは、記録デバイス200は、マルチメディアデータを含む受信したデータをリアルタイムにキャッシュするように構成されたデータキャッシングユニット2003をさらに含み、マルチメディアデータスクリーニングユニットは、具体的には、キャッシュしたマルチメディアデータをスクリーニングして、マルチメディアデータ識別情報セットに対応しているマルチメディアデータを獲得するように構成されている。
【０１８４】
好ましくは、命令受信ユニットは、(1つまたは複数のネットワークアダプタを含んでもよい)第3のネットワークアダプタを通じて記録命令を受信し、データ受信ユニットは、(1つまたは複数のネットワークアダプタを含んでもよい)第4のネットワークアダプタを通じてデータを受信する。
【０１８５】
第3のネットワークアダプタと第4のネットワークアダプタは、同じネットワークアダプタであってもよく、好ましくは、異なるネットワークアダプタであってもよく、第3のネットワークアダプタと第4のネットワークアダプタが異なるネットワークアダプタである場合、記録デバイスおよび配信デバイスがこれを介して通信を行う(たとえば、記録命令を受信する)ネットワークリンクと、記録操作を実施するためのネットワークリンクは、物理ネットワークの観点では別個であり、互いに独立しており、それによって、記録デバイスの性能が改善される。
【０１８６】
具体的には、専用ハードウェア回路(たとえば、FPGAなどのハードウェア回路)は、記録デバイスの機能の一部またはすべてを実施するのに使用可能であり、具体的には、ハードウェア回路は、記録デバイスに含まれている1つまたは複数のユニットの機能を実施するために使用され、それにより、さらに、記録デバイスの性能が改善される。
【０１８７】
記録デバイスの具体的な機能の実装形態に関しては、本発明の実施形態1を参照することができる。
【０１８８】
本発明の実施形態1から実施形態3により、本発明の実施形態4は、マルチメディアデータを記録するためのシステムを提供する。
【０１８９】
図12に示すように、マルチメディアデータを記録するための記録システムは、
具体的には、実施形態2の配信デバイスである配信デバイスと、
具体的には、実施形態3の記録デバイスである記録デバイスと、
を含む。
【０１９０】
好ましくは、記録システムは、第1のミラードスイッチをさらに含み、記録デバイスは、第1のミラードスイッチからマルチメディアデータを受信する。任意選択で、システムは、第2のミラードスイッチをさらに含み、配信デバイスは、第2のミラードスイッチから信号を受信する。第1のミラードスイッチと第2のミラードスイッチは、同じミラードスイッチであってもよいことに留意されたい。
【０１９１】
記録システムは、記憶デバイスをさらに含むことができ、記憶デバイスは、記録デバイスによって記録されたマルチメディアデータファイルを記憶するように構成されている。
【０１９２】
任意選択で、記録システムは、制御デバイスをさらに含み、配信デバイスは、制御デバイスから信号またはマルチメディアデータ識別情報を受信し、配信デバイスが、制御デバイスからマルチメディアデータ識別情報を受信する場合、具体的には、制御デバイスは、受信した信号からマルチメディアデータ識別情報を取得し、取得したマルチメディアデータ識別情報を配信デバイスに送信するように構成され、配信デバイスは、具体的には、マルチメディアデータ識別情報を含んでいる記録命令を生成するように構成されている。好ましくは、制御デバイスは、信号から、マルチメディアデータ識別情報に対応している発信番号または着信番号を取得し、この発信番号および着信番号を配信デバイスに送信するように構成され、配信デバイスは、発信番号または着信番号が、あらかじめ設定された記録番号と一致するかどうかを判定し、判定結果が肯定である場合、マルチメディアデータ識別情報を含んでいる記録命令を生成するようにさらに構成されている。
【０１９３】
記録システムの具体的な機能の実装形態に関しては、本発明の実施形態1から実施形態3を参照することができる。
【０１９４】
本発明の実施形態1および実施形態2の配信デバイスは、電子ハードウェア、またはコンピュータソフトウェアと電子ハードウェアとの組合せによって実施され得る。配信デバイスは、コンピュータソフトウェアと電子ハードウェアとの組合せによって実施される場合、具体的には、コンピュータ上でコンピュータプログラムを実行することによって実施され得る。コンピュータプログラムは、プログラムコードを含み、本発明の実施形態1の方法は、コンピュータ上でコンピュータプログラムを実行することによって実施され得る。コンピュータは、PC、サーバ、PAD、およびノートブックコンピュータを含むが、これらに限定されない。
【０１９５】
コンピュータのシステムの概略構造図が図13に示され、このシステムは、プロセッサ、メモリ、記憶コントローラ、通信装置を含み、さらには、持続性メモリ、持続性記憶コントローラ、表示装置、表示コントローラ、入力装置、およびI/Oコントローラを含んでもよい。
【０１９６】
メモリは、コンピュータプログラムおよびデータを記憶するように構成され、コンピュータプログラムは、プログラムコードを含み、プログラムコードは、コンピュータ操作命令を含む。コンピュータ操作命令は、本発明の実施形態2に提供される配信デバイスの各ユニットの機能を実施するためのコンピュータ操作命令を含む。データは、コンピュータ操作命令を処理するのに必要なデータと、コンピュータ操作命令を実行する際に生成されるデータとを含み、具体的には、配信デバイスが受信したデータ(信号を含む)、信号から取得されるマルチメディアデータ識別情報、メモリに書き込まれるあらかじめ設定された記録ポリシー、受信したマルチメディアデータ識別情報、および生成した記録命令などを含むことができる。メモリは、具体的には、揮発性メモリである。
【０１９７】
記憶コントローラは、メモリに記憶される操作命令とデータとのアドレス指定およびアクセスを行うように構成されている。記憶コントローラは、プロセッサによって制御される。
【０１９８】
メインプロセッサは、メモリに記憶されているコンピュータプログラムを実行するように構成されている。メインプロセッサは、中央処理ユニット(CPU)であり、コンピュータのコアユニットである。
【０１９９】
持続性メモリは、アプリケーション、オペレーティングシステム、およびファイルデータを持続的に記憶するように構成されている。アプリケーションは、具体的には、配信デバイスのコンピュータプログラムに対応しているアプリケーションを含むことができ、記憶したファイルデータは、具体的には、あらかじめ設定された記録ポリシーを保存するファイルを含む。持続性記憶装置は、磁気ディスク、磁気テープ、およびメモリカードなどを含むが、これらに限定されない。
【０２００】
持続性記憶コントローラは、持続性メモリにおけるアプリケーションと、オペレーションシステムと、ファイルデータとのアドレス指定およびアクセスを行うように構成されている。持続性メモリは、プロセッサによって制御される。
【０２０１】
表示装置は、コンピュータの処理結果を示すように構成されている。コンピュータの処理結果は、具体的には、記録ポリシーを構成する構成プロセスおよび構成結果を含んでいる、実施形態1および実施形態2の操作プロセスおよび操作結果とすることができる。表示装置は、表示部、表示画面、およびタッチ画面などを含むが、これらに限定されない。
【０２０２】
表示コントローラは、コンピュータの処理結果を示すよう表示装置を制御するように構成されている。
【０２０３】
入力装置は、操作命令を入力するように構成されている。操作命令は、具体的には、実施形態1および実施形態2における記録ポリシーを構成するための操作命令を含むことができる。入力装置は、キーボード、マウス、およびタッチ画面などを含むが、これらに限定されない。
【０２０４】
I/Oコントローラは、コンピュータシステムの入力および出力を制御するように構成されている。I/Oコントローラは、具体的には、入力装置の入力を制御するように構成されている。
【０２０５】
通信装置は、配信デバイスをインターネット、イントラネット、またはローカルエリアネットワークに接続するように構成されている。具体的には、実施形態1および実施形態2では、配信デバイスは、通信装置を通じて情報を受信すること、たとえば、信号、マルチメディアデータ識別情報、および制御デバイスによって送信される記録番号セットなどを受信することができ、さらには、通信装置を通じて情報を送信すること、たとえば、記録命令、および追加の記録情報などを記録デバイスに送信することができる。通信装置は、ネットワークアダプタ、GPRSモジュール、WiFi(登録商標)モジュール、および3Gモジュールなどを含むが、これらに限定されない。
【０２０６】
本発明の実施形態1および実施形態3の記録デバイスは、電子ハードウェア、またはコンピュータソフトウェアと電子ハードウェアとの組合せによって実施され得る。記録デバイスは、コンピュータソフトウェアと電子ハードウェアとの組合せによって実施される場合、具体的には、コンピュータ上でコンピュータプログラムを実行することによって実施され得、コンピュータプログラムは、プログラムコードを含み、本発明の実施形態1の方法は、コンピュータ上でコンピュータプログラムを実行することによって実施され得る。コンピュータは、PC、サーバ、PAD、およびノートブックコンピュータを含むが、これらに限定されない。
【０２０７】
コンピュータのシステム構造は、プロセッサ、メモリ、記憶コントローラ、および通信装置を含み、さらには、持続性メモリ、持続性記憶コントローラ、表示装置、表示コントローラ、入力装置、I/Oコントローラを含んでもよい。
【０２０８】
メモリは、コンピュータプログラムおよびデータを記憶するように構成され、コンピュータプログラムは、プログラムコードを含み、プログラムコードは、コンピュータ操作命令を含む。コンピュータ操作命令は、本発明の実施形態3で提供される記録デバイスの各ユニットの機能を実施するためのコンピュータ操作命令を含む。データは、コンピュータ操作命令を処理するために必要なデータ、およびコンピュータ操作を実行する際に生成されるデータを含み、具体的には、記録デバイスが受信するデータ(マルチメディアデータを含む)、マルチメディアデータ識別情報セット、および配信デバイスから受信した記録命令などを含むことができる。メモリは、具体的には、揮発性メモリである。
【０２０９】
記憶コントローラは、メモリに記憶されている操作命令とデータとのアドレス指定およびアクセスを行うように構成されている。記憶コントローラは、プロセッサによって制御される。
【０２１０】
メインプロセッサは、メモリに記憶されているコンピュータプログラムを実行するように構成されている。メインプロセッサは、中央処理ユニット(CPU)であり、コンピュータのコアユニットである。
【０２１１】
持続性メモリは、アプリケーション、オペレーティングシステム、およびファイルデータを持続的に記憶するように構成されている。アプリケーションは、具体的には、記録デバイスのコンピュータプログラムに対応しているアプリケーションを含むことができ、記憶したファイルデータは、具体的には、実施形態1および実施形態3における記録および生成を保存するマルチメディアデータファイル、および通信関連の記述情報などを記録するためのデータベースファイルを含んでいる。持続性記憶装置は、磁気ディスク、磁気テープ、およびメモリカードなどを含むが、これらに限定されない。
【０２１２】
持続性記憶コントローラは、持続性メモリにおけるアプリケーションと、オペレーションシステムと、ファイルデータとのアドレス指定およびアクセスを行うように構成されている。持続性メモリは、プロセッサによって制御される。
【０２１３】
表示装置は、コンピュータの処理結果を示すように構成されている。コンピュータの処理結果は、具体的には、記録プロセスおよび記録結果などを含んでいる、実施形態1および実施形態3の操作プロセスおよび操作結果とすることができる。表示装置は、表示部、表示画面、およびタッチ画面などを含むが、これらに限定されない。
【０２１４】
表示コントローラは、コンピュータの処理結果を示すよう表示装置を制御するように構成されている。
【０２１５】
入力装置は、操作命令を入力するように構成されている。操作命令は、具体的には、実施形態1および実施形態3におけるマルチメディアデータ識別情報セットを構成するための操作命令を含むことができる。入力装置は、キーボード、マウス、およびタッチ画面などを含むが、これらに限定されない。
【０２１６】
I/Oコントローラは、コンピュータシステムの入力および出力を制御するように構成されている。I/Oコントローラは、具体的には、入力装置の入力を制御するように構成されている。
【０２１７】
通信装置は、記録デバイスをインターネット、イントラネット、またはローカルエリアネットワークに接続するように構成されている。具体的には、実施形態1および実施形態3では、記録デバイスは、通信装置を通じて情報を受信すること、たとえば、マルチメディアデータ、配信デバイスによって送信される記録命令、および配信デバイスによって送信される追加の記録情報などを受信することができ、さらには、通信装置を用いて情報を送信すること、たとえば、記録したマルチメディアデータファイルを記憶デバイス送信することができる。通信装置は、ネットワークアダプタ、GPRSモジュール、WiFi(登録商標)モジュール、および3Gモジュールを含むが、これらに限定されない。
【０２１８】
本発明の実施形態1および実施形態2により、本発明の実施形態5は、マルチメディアデータを記録するための配信デバイスを提供する。
【０２１９】
配信デバイスは、プロセッサおよびメモリを含み、メモリは、操作命令を記憶するように構成され、プロセッサは、次のように機能を実施するよう操作命令を実行する。
【０２２０】
配信デバイスは、マルチメディアデータ識別情報を含んでいる記録命令を生成し、マルチメディアデータ識別情報は、記録される必要があるマルチメディアデータを識別するのに使用され、配信デバイスはさらに、記録命令を記録デバイスに送信し、それにより、記録デバイスは、マルチメディアデータ識別情報に対応しているマルチメディアデータを識別し、マルチメディアデータを記録する。
【０２２１】
可能な実装方式では、配信デバイスは、信号を受信し、ここでは、信号は、マルチメディアデータを伝送するためのチャネルを確立するための信号であり、配信デバイスはさらに、信号を受信した後、信号に従ってマルチメディアデータ識別情報を取得し、マルチメディアデータ識別情報を含んでいる記録命令を生成する。マルチメディアデータ識別情報は、具体的には、マルチメディアデータに対応している呼識別子、またはマルチメディアデータに対応しているIPアドレス、またはマルチメディアデータに対応しているポート番号、またはマルチメディアデータに対応しているIPアドレスおよびポート番号を含むことができる。信号に従ってマルチメディアデータ識別情報を取得することは、具体的には、信号の呼識別子ヘッダフィールドから呼識別子を取得し、呼識別子をマルチメディアデータ識別情報として使用することとすることができ、さらに、具体的には、信号がセッション記述プロトコルSDP情報を含んでいるときには、SDP情報の接続情報フィールドからIPアドレスを取得し、IPアドレスをマルチメディアデータ識別情報として使用すること、またはSDP情報のメディア名/トランスポートアドレスフィールドからポート番号を取得し、ポート番号をマルチメディアデータ識別情報として使用すること、またはSDP情報の接続情報フィールドからIPアドレスを取得し、SDP情報のメディア名/トランスポートアドレスフィールドからポート番号を取得し、IPアドレスおよびポート番号をマルチメディアデータ識別情報として使用することとすることができる。マルチメディアデータ識別情報を取得した後、配信デバイスは、さらに、まずメモリ内の取得したマルチメディアデータ識別情報を記録し、マルチメディアデータ識別情報に対応しているマルチメディアデータの記録を命令するための記録命令情報を取得し、次いで、記録命令を生成することができる。
【０２２２】
別の可能な実装方式では、配信デバイスが受信した信号は、マルチメディアデータ識別情報を含んでおり、信号はさらに、受信後、記録命令として直接使用され得る。
【０２２３】
前述の2つの実装方式と組み合わせて、配信デバイスが記録命令を生成する前に、方法は、あらかじめ設定された第1の記録ポリシーを信号が満たすと決定するステップをさらに含み、第1の記録ポリシーは、記録される必要があるマルチメディアデータに対応している信号を決定するのに使用され、この決定は、具体的には、あらかじめ設定された記録番号と一致する発信番号もしくは着信番号を信号が含んでいると決定すること、またはあらかじめ設定されたIPアドレスと一致するIPアドレスを信号が含んでいると決定することとすることができる。あらかじめ設定された第1の記録ポリシーは、持続性メモリに記憶され、メモリにロードされ、あらかじめ設定された第1の記録ポリシーを信号が満たすと決定する前に、配信デバイスは、メモリから第1の記録ポリシーを読み取ることに留意されたい。
【０２２４】
別の可能な実装方式では、配信デバイスは、制御デバイスからマルチメディアデータ識別情報を受信し、マルチメディアデータ識別情報を含んでいる記録命令を生成する。好ましくは、配信デバイスは、さらに、制御デバイスから、マルチメディアデータ識別情報に対応している発信番号または着信番号を受信し、発信番号または着信番号が、あらかじめ設定された番号と一致すると決定し、マルチメディアデータ識別情報を含んでいる記録命令を生成する。
【０２２５】
前述の3つの実装方式と組み合わせて、好ましくは、配信デバイスは、あらかじめ設定された第2の記録ポリシーに従ってマルチメディアデータを記録するための記録デバイスを決定し、決定した記録デバイスに記録命令を送信することができる。あらかじめ設定された第2の記録ポリシーは、持続性メモリに記憶され、メモリにロードされ、あらかじめ設定された第2の記録ポリシーに従ってマルチメディアデータを記録するための記録デバイスを決定する前に、配信デバイスは、第2の記録ポリシーをメモリから読み取ることに留意されたい。任意選択で、配信デバイスは、さらに、配信デバイスと通信するすべての記録デバイスに記録命令を送信することができ、それにより、すべての記録デバイスにおける各記録デバイスは、記録命令に含まれているマルチメディアデータ識別情報に対応しているマルチメディアデータは、記録デバイスが記録するように命令されたマルチメディアデータであるかどうかを判定し、判定結果が肯定であるとき、マルチメディアデータを記録する。
【０２２６】
別の可能な実装方式では、配信デバイスは、あらかじめ設定された第3の記録ポリシーに従って記録命令を生成することができ、第3の記録ポリシーは、記録デバイスが記録する必要があるマルチメディアデータに対応しているマルチメディアデータ識別情報を決定するのに使用される。具体的には、配信デバイスは、記録デバイスに対応している、あらかじめ設定されたユーザ属性情報を取得し、ユーザ属性情報に対応している、あらかじめ設定されたマルチメディアデータ識別情報を取得し、マルチメディアデータ識別情報を含んでいる記録命令を生成することができ、配信デバイスは、さらに、記録デバイスに対応している、あらかじめ設定されたマルチメディアデータ識別情報を取得し、マルチメディアデータ識別情報を含んでいる記録命令を生成することができる。マルチメディアデータ識別情報は、マルチメディアデータに対応しているIPアドレス、またはマルチメディアデータに対応しているポート番号、またはマルチメディアデータに対応しているIPアドレスおよびポート番号を含んでいることができる。あらかじめ設定された第3の記録ポリシーは、持続性メモリに記憶され、メモリにロードされることに留意されたい。あらかじめ設定された第3の記録ポリシーに従って記録命令を生成する前に、配信デバイスは、メモリから第3の記録ポリシーを読み取る。
【０２２７】
前述の4つの実装方式と組み合わせて、記録命令は、さらに、記録される必要があるマルチメディアデータのデータタイプを含んでいることができ、それにより、記録デバイスは、データタイプに対応しているマルチメディアデータを記録する。
【０２２８】
配信デバイスの具体的実装形態に関しては、本発明の実施形態1を参照することができる。
【０２２９】
本発明の実施形態1および実施形態3により、本発明の実施形態6は、マルチメディアデータを記録するための記録デバイスを提供する。
【０２３０】
記録デバイスは、プロセッサおよびメモリを含み、メモリは、操作命令を記憶するように構成され、プロセッサは、次のように機能を実施するよう操作命令を実行する。
【０２３１】
記録デバイスは、配信デバイスから、マルチメディアデータ識別情報を含んでいる記録命令を受信し、マルチメディアデータ識別情報は、記録される必要があるマルチメディアデータを識別するのに使用され、記録デバイスはさらに、マルチメディアデータ識別情報に従って、記録される必要があるマルチメディアデータを識別し、マルチメディアデータを記録する。マルチメディアデータ識別情報は、具体的には、マルチメディアデータに対応している呼識別子、またはマルチメディアデータに対応しているIPアドレス、またはマルチメディアデータに対応しているポート番号を含んでいることができる。
【０２３２】
マルチメディアデータ識別情報に従って、記録される必要があるマルチメディアデータを識別することは、具体的には、マルチメディアデータ識別情報が、具体的には、呼識別子を含んでいるときには、記録デバイスは、受信したデータパケットが呼識別子を含んでいるかどうかを判定し、含んでいるならば、データパケットに含まれているデータが、記録される必要があるマルチメディアデータであると決定することとすることができ、マルチメディアデータ識別情報に従って、記録される必要があるマルチメディアデータを識別することは、さらに、具体的には、マルチメディアデータ識別情報が、具体的には呼識別子を含んでいるときには、記録デバイスは、呼識別子に従って呼識別子を含んでいる信号を取得し、取得した信号からポート番号を取得し、受信したデータパケット内の送信先ポート番号もしくは送信元ポート番号が、取得したポート番号であるかどうかを判定し、判定結果が肯定である場合、データパケットに含まれているデータが、記録される必要があるマルチメディアデータであると決定すること、または取得した信号からIPアドレスおよびポート番号を取得し、受信したデータパケット内の送信先IPアドレスおよび送信先ポート番号が、取得したIPアドレスおよびポート番号であるかどうかを判定し、判定結果が肯定である場合、データパケットに含まれているデータが、記録される必要があるマルチメディアデータであると決定すること、または取得した信号からIPアドレスおよびポート番号を取得し、受信したデータパケット内の送信元IPアドレスおよび送信元ポート番号が、取得したIPアドレスおよびポート番号であるかどうかを判定し、判定結果が肯定である場合、データパケットに含まれているデータが、記録される必要があるマルチメディアデータであると決定することとすることができ、マルチメディアデータ識別情報に従って、記録される必要があるマルチメディアデータを識別することは、さらに、具体的には、マルチメディアデータ識別情報が、具体的には、IPアドレスを含んでいるときには、記録デバイスは、受信したデータパケット内の送信先IPアドレスもしくは送信元IPアドレスが、記録命令に含まれているIPアドレスであるかどうかを判定し、判定結果が肯定である場合、データパケットに含まれているデータが、記録される必要があるマルチメディアデータであると決定すること、またはマルチメディアデータ識別情報が、具体的には、ポート番号を含んでいるときには、記録デバイスは、受信した記録データパケット内の送信先ポート番号もしくは送信元ポート番号が、記録命令に含まれているポート番号であるかどうかを判定し、判定結果が肯定である場合、データパケットに含まれているデータが、記録される必要があるマルチメディアデータであると決定すること、またはマルチメディアデータ識別情報が、IPアドレスおよびポート番号を含んでいるときには、記録デバイスは、受信したデータパケット内の送信先IPアドレスおよび送信先ポート番号が、記録命令に含まれているIPアドレスおよびポート番号であるかどうかを判定し、判定結果が肯定である場合、データパケットに含まれているデータが、記録される必要があるマルチメディアデータであると決定すること���またはマルチメディアデータ識別情報が、具体的には、IPアドレスおよびポート番号を含んでいるときには、記録デバイスは、受信したデータパケット内の送信元IPアドレスおよび送信元ポート番号が、記録命令に含まれているIPアドレスおよびポート番号であるかどうかを判定し、判定結果が肯定である場合、データパケットに含まれているデータが、記録される必要があるマルチメディアデータであると決定することとすることができる。
【０２３３】
好ましくは、記録デバイスは、受信したマルチメディアデータをスクリーニングして、マルチメディアデータ識別情報セットに対応しているマルチメディアデータを獲得し、マルチメディアデータ識別情報に従って、記録される必要があるマルチメディアデータを、スクリーニングにより獲得されたマルチメディアデータから識別し、ここでは、マルチメディアデータ識別情報セットは、あらかじめ構成されている、または配信デバイスから取得される、または先に受信した記録命令に含まれているマルチメディアデータ識別情報に従って生成される。マルチメディアデータ識別情報セットは、具体的には、IPアドレス範囲、またはポート番号範囲を含んでいることができる。
【０２３４】
記録デバイスの具体的実施形態に関しては、本発明の実施形態1を参照することができる。
【０２３５】
本発明の実施形態1、実施形態5、および実施形態6により、本発明の実施形態7は、マルチメディアデータを記録するための記録システムを提供する。
【０２３６】
マルチメディアデータを記録するためのシステムは、
配信デバイスであって、具体的には、実施形態5の配信デバイスである、配信デバイスと、
記録デバイスであって、具体的には、実施形態6の記録デバイスである、記録デバイスと
を含む。
【０２３７】
好ましくは、記録システムは、第1のミラードスイッチをさらに含み、記録デバイスは、第1のミラードスイッチからマルチメディアデータを受信し、任意選択で、システムは、第2のミラードスイッチをさらに含み、配信デバイスは、第2のミラードスイッチから信号を受信する。第1のミラードスイッチと第2のミラードスイッチは、同じミラードスイッチであってもよいことに留意されたい。
【０２３８】
記録システムは、記憶デバイスをさらに含むことができ、記憶デバイスは、記録デバイスによって記録されるマルチメディアデータファイルを記憶するように構成されている。
【０２３９】
任意選択で、記録システムは、制御デバイスをさらに含み、配信デバイスは、制御デバイスから信号またはマルチメディアデータ識別情報を受信し、配信デバイスが、制御デバイスからマルチメディアデータ識別情報を受信する場合、具体的には、制御デバイスは、受信した信号からマルチメディアデータ識別情報を取得し、取得したマルチメディアデータ識別情報を配信デバイスに送信するように構成され、配信デバイスは、具体的には、マルチメディアデータ識別情報を含んでいる記録命令を生成するように構成され、好ましくは、制御デバイスは、信号から、マルチメディアデータ識別情報に対応している発信番号または着信番号を取得し、この発信番号および着信番号を配信デバイスに送信するようにさらに構成され、配信デバイスは、発信番号または着信番号が、あらかじめ設定された記録番号と一致するかどうかを判定し、判定結果が肯定である場合、マルチメディアデータ識別情報を含んでいる記録命令を生成するようにさらに構成されている。
【０２４０】
記録システムの具体的な機能の実装形態に関しては、本発明の実施形態1、実施形態5、および実施形態6を参照することができる。
【０２４１】
ここで諸実施形態において説明した例と組み合わせて、ユニットおよびアルゴリズムステップが、電子ハードウェア、またはコンピュータソフトウェアと電子ハードウェアとの組合せによって実施可能であることは当業者には認識されるはずである。機能が、ハードウェアまたはソフトウェアによって実行されるかどうかは、特定のアプリケーションおよび技術的解決策の設計制約条件によって決まる。あらゆる特定のアプリケーションについて説明した機能を実施するために、当業者は種々の方法を使用することができるが、実装形態が本発明の範囲を越えるものと考えるべきではない。
【０２４２】
便宜上かつ簡潔に説明する目的で、前述のシステム、装置、およびユニットの詳細な動作プロセスに関して、方法の実施形態において対応しているプロセスを参照することができること、ならびに詳細をここで再度説明していないことは当業者なら明白に理解できる。
【０２４３】
本出願で提供される諸実施形態では、開示したシステム、デバイス、および方法は、他の方式で実装可能であると理解すべきである。たとえば、説明したデバイスの実施形態は、ほんの例示にすぎない。たとえば、ユニットの区分は、ほんの論理的機能の区分にすぎず、実際の実装形態では、他の区分である場合もある。たとえば、複数のユニットまたは構成要素は、別のシステムに組み合わせることも、統合することもでき、またはいくつかの特徴は、無視されても、行われなくてもよい。加えて、表示されたまたは検討された相互連結、もしくは直接連結、または通信接続は、いくつかのインターフェースを通じて実装可能である。デバイスまたはユニット間の間接連結または通信接続は、電子的形態、機械的形態、または他の形態で実装可能である。
【０２４４】
別々のパーツとして説明したユニットは、物理的に別個であっても、別個でなくてもよく、ユニットとして表示されたパーツは、物理ユニットであっても、物理ユニットでなくてもよく、ある場所に位置していても、または複数のネットワーク要素上に分散されてもよい。ユニットの一部またはすべては、実施形態の解決策の目的を達成するための実際の必要性に従って選定され得る。
【０２４５】
加えて、本発明の各実施形態における各機能ユニットは、処理ユニットに統合しても、もしくは各ユニットが物理的に単独で存在してもよく、または2つ以上のユニットが、1つのユニットに統合される。
【０２４６】
ソフトウェア機能ユニットの形態で実装されるとき、または別個の製品として販売される、もしくは使用されるとき、機能は、コンピュータ可読記憶媒体に記憶され得る。そのような理解に基づいて、本発明の技術的解決策は、基本的に、すなわち従来技術に寄与する一部、または技術的解決策の一部は、ソフトウェア製品の形態で実装可能である。コンピュータソフトウェア製品は、記憶媒体に記憶され、本発明の実施形態において説明した方法のステップのすべてまたは一部を実行するよう(パーソナルコンピュータ、サーバ、およびネットワークデバイスなどとすることができる)コンピュータデバイスに命令するためのいくつかの命令を含んでいる。前述の記憶媒体は、Uディスク、リムーバブルハードディスク、読取り専用メモリ(ROM)、ランダムアクセスメモリ(RAM)、磁気ディスク、またはCD-ROMなど、プログラムコードを記憶することが可能な任意の媒体を含む。
【０２４７】
前述の説明は、本発明のほんの例示的な実施形態にすぎず、本発明の保護範囲を限定するように意図するものではない。本発明の趣旨から逸脱することなく、当業者によって行われるいずれの変形または置換も、本発明の保護範囲に入るものとする。そのため、本発明の保護範囲は、添付の特許請求の範囲の対象とする。
【符号の説明】
【０２４８】
100  配信デバイス
200  記録デバイス
1001A  データ受信ユニット
1001B  マルチメディア識別情報受信ユニット
1002  命令生成ユニット
1003  命令送信ユニット
1004  記録ユニット
2001  命令受信ユニット
2002  データ受信ユニット
2003  データキャッシングユニット
2004  マルチメディアデータスクリーニングユニット
2005  マルチメディアデータ識別ユニット
2006  記録ユニット
【図１】
0005845554.tif 000002
【図２】
0005845554.tif 000003
【図３−１】
0005845554.tif 000004
【図３−２】
0005845554.tif 000005
【図４−１】
0005845554.tif 000006
【図４−２】
0005845554.tif 000007
【図６】
0005845554.tif 000008
【図７】
0005845554.tif 000009
【図８】
0005845554.tif 000010
【図９】
0005845554.tif 000011
【図１０】
0005845554.tif 000012
【図１１】
0005845554.tif 000013
【図１２】
0005845554.tif 000014
【図１３】
0005845554.tif 000015
【図５】
0005845554.tif 000016